(57)【特許請求の範囲】
【請求項１】
第１端部と第２端部とを有する複数の駆動電極と、
前記複数の駆動電極のそれぞれの前記第1端部と対向し、前記第１端部に沿って延在し、第１電圧が供給される第１配線と、
前記複数の駆動電極のそれぞれの前記第1端部と対向し、前記第１端部に沿って延在し、前記第１電圧とは異なる第２電圧が供給される第２配線と、
前記複数の駆動電極のそれぞれの前記第２端部と対向し、前記第２端部に沿って延在し、前記第１電圧が供給される第３配線と、
前記複数の駆動電極のそれぞれの前記第２端部と対向し、前記第２端部に沿って延在し、前記第２電圧が供給される第４配線と、
前記複数の駆動電極の第１端部を選択する第１スキャナ回路および第２スキャナ回路と、
前記複数の駆動電極の第２端部を選択する第３スキャナ回路および第４スキャナ回路と、
を備え、
前記複数の駆動電極のうち、前記第１スキャナ回路によって選択された第１駆動電極の第１端部は、前記第１配線に接続され、前記第３スキャナ回路によって選択された第２駆動電極の第２端部は、前記第３配線に接続され、前記第２スキャナ回路によって選択された前記第２駆動電極の第１端部は、前記第２配線に接続され、前記第４スキャナ回路によって選択された前記第１駆動電極の第２端部は、前記第４配線に接続され、
前記複数の駆動電極のうちの前記第１駆動電極および前記第２駆動電極に、前記第１電圧と前記第２電圧との差に応じた駆動電圧が供給される、入力検出装置。
【請求項２】
請求項１に記載の入力検出装置において、
前記複数の駆動電極が配置された基板をさらに備え、
前記基板の額縁領域の第１辺に沿って前記第１スキャナ回路と前記第２スキャナ回路とが配置され、前記第１辺と対向する前記額縁領域の第２辺に沿って前記第３スキャナ回路と前記第４スキャナ回路とが配置される、入力検出装置。
【請求項３】
請求項１または２に記載の入力検出装置において、
前記駆動電極の第１端部と、前記第１スキャナ回路および前記第２スキャナ回路との間に接続される第１選択駆動回路と、
前記駆動電極の第２端部と、前記第３スキャナ回路および前記第４スキャナ回路との間に接続される第２選択駆動回路と、
をさらに備える、入力検出装置。
【請求項４】
請求項１に記載の入力検出装置において、
前記第１スキャナ回路が前記第１駆動電極の第１端部を選択する時、
前記第１駆動電極の第１端部には、前記第１配線を介して前記第１電圧が供給され、
前記第１駆動電極の第２端部には、前記第４配線を介して、前記第２電圧が供給され、
前記第２駆動電極の第１端部には、前記第２配線を介して前記第２電圧が供給され、
前記第２駆動電極の第２端部には、前記第３配線を介して前記第１電圧が供給される、入力検出装置。
【請求項５】
請求項１または３に記載の入力検出装置において、
前記第１駆動電極と前記第２駆動電極とが同時に選択され、前記第１駆動電極と前記第２駆動電極とに流れる電流により発生した磁界により、電磁誘導方式の入力検出を行う、入力検出装置。
【請求項６】
請求項５に記載の入力検出装置において、
コイルおよび容量素子を含む指示器をさらに備える、入力検出装置。
【請求項７】
請求項３〜５のいずれか一項に記載の入力検出装置において、
前記複数の駆動電極は所定方向に配列され、同時に選択される前記第１駆動電極と前記第２駆動電極との間に１本以上の非選択の駆動電極が配置される、入力検出装置。
【請求項８】
請求項１または７に記載の入力検出装置において、
前記第１駆動電極および前記第２駆動電極はそれぞれ隣接する複数の駆動電極を含む、入力検出装置。
【請求項９】
請求項１に記載の入力検出装置において、
前記第１スキャナ回路、前記第２スキャナ回路、前記第３スキャナ回路および前記第４スキャナ回路はそれぞれ同一の回路であり、
前記第１スキャナ回路と前記第２スキャナ回路とは、駆動電極を選択するタイミングが［ｍ（ｍは前記第１駆動電極または前記第２駆動電極に含まれる駆動電極の本数）＋ｎ（ｎは前記第１駆動電極と前記第２駆動電極の間に配置される非選択の駆動電極の本数）］本分ずつずれており、かつ前記第３スキャナ回路と前記第４スキャナ回路も駆動電極を選択するタイミングがｍ＋ｎ本ずつずれている、入力検出装置。
【請求項１０】
請求項９に記載の入力検出装置において、
前記第１スキャナ回路と前記第４スキャナ回路が前記第１駆動電極を同時に選択し、前記第２スキャナ回路と前記第３スキャナ回路が前記第２駆動電極を同時に選択する、入力検出装置。
【請求項１１】
請求項９に記載の入力検出装置において、
前記第１スキャナ回路と前記第３スキャナ回路が前記第１駆動電極を同時に選択し、前記第２スキャナ回路と前記第４スキャナ回路が前記第２駆動電極を同時に選択する、入力検出装置。
【請求項１２】
請求項９に記載の入力検出装置において、
前記ｍおよび前記ｎの数はそれぞれ変更可能である、入力検出装置。
【請求項１３】
請求項２に記載の入力検出装置において、
前記第１スキャナ回路に含まれる単位スキャナ回路と前記第２スキャナ回路に含まれる単位スキャナ回路とが前記基板の額縁領域の第１辺に沿って交互に配置される、入力検出装置。
【請求項１４】
請求項１３に記載の入力検出装置において、
ゲートドライバをさらに備え、
前記第１スキャナ回路に含まれる単位スキャナ回路および前記第２スキャナ回路に含まれる単位スキャナ回路と前記ゲートドライバに含まれる単位ゲートドライバとが前記基板の額縁領域の第１辺に沿って交互に配置される、入力検出装置。
【請求項１５】
請求項１〜１４のいずれか一項に記載の入力検出装置において、
前記複数の駆動電極は、静電容量方式の入力検出の駆動電極としても用いられる、入力検出装置。
【請求項１６】
請求項１に記載の入力検出装置において、
電磁誘導方式の入力検出期間において、前記第１駆動電極の第１端部と前記第２駆動電極の第２端部には、前記第１電圧が供給され、前記第１駆動電極の第２端部と前記第２駆動電極の第１端部には、前記第２電圧が供給され、
静電容量方式の入力検出期間において、前記第１駆動電極の第１端部と第２端部には、第３電圧が供給される、入力検出装置。
【請求項１７】
請求項１〜１６のいずれか一項に記載の入力検出装置を備える、電子装置。
【請求項１８】
請求項１に記載の入力検出装置において、
前記第１電圧は、前記第２電圧よりも高い電圧である、入力検出装置。
【請求項１９】
第１端部と第２端部とを有する複数の駆動電極と、
前記複数の駆動電極の第１端部を選択する第１スキャナ回路および第２スキャナ回路と、
前記複数の駆動電極の第２端部を選択する第３スキャナ回路および第４スキャナ回路と、
前記第１スキャナ回路、前記第２スキャナ回路、前記第３スキャナ回路および前記第４スキャナ回路を介して、第１駆動電極の第１端部と第２駆動電極の第２端部に第１駆動電圧を供給し、前記第１駆動電極の第２端部と前記第２駆動電極の第１端部に前記第１駆動電圧と異なる第２駆動電圧を供給する制御部と、
を備え、
前記第１スキャナ回路、前記第２スキャナ回路、前記第３スキャナ回路および前記第４スキャナ回路はそれぞれ同一の回路であり、
前記第１スキャナ回路と前記第２スキャナ回路とは、駆動電極を選択するタイミングが［ｍ（ｍは前記第１駆動電極または前記第２駆動電極に含まれる駆動電極の本数）＋ｎ（ｎは前記第１駆動電極と前記第２駆動電極の間に配置される非選択の駆動電極の本数）］本分ずつずれており、かつ前記第３スキャナ回路と前記第４スキャナ回路も駆動電極を選択するタイミングがｍ＋ｎ本ずつずれている、入力検出装置。
【請求項２０】
第１端部と第２端部とを有する複数の駆動電極と、
前記複数の駆動電極の第１端部を選択する第１スキャナ回路および第２スキャナ回路と、
前記複数の駆動電極の第２端部を選択する第３スキャナ回路および第４スキャナ回路と、
前記第１スキャナ回路、前記第２スキャナ回路、前記第３スキャナ回路および前記第４スキャナ回路を介して、第１駆動電極の第１端部と第２駆動電極の第２端部に第１駆動電圧を供給し、前記第１駆動電極の第２端部と前記第２駆動電極の第１端部に前記第１駆動電圧と異なる第２駆動電圧を供給する制御部と、
を備え、
前記第１スキャナ回路と前記第４スキャナ回路が前記第１駆動電極を同時に選択し、前記第２スキャナ回路と前記第３スキャナ回路が前記第２駆動電極を同時に選択する、入力検出装置。
【請求項２１】
第１端部と第２端部とを有する複数の駆動電極と、
前記複数の駆動電極の第１端部を選択する第１スキャナ回路および第２スキャナ回路と、
前記複数の駆動電極の第２端部を選択する第３スキャナ回路および第４スキャナ回路と、
前記第１スキャナ回路、前記第２スキャナ回路、前記第３スキャナ回路および前記第４スキャナ回路を介して、第１駆動電極の第１端部と第２駆動電極の第２端部に第１駆動電圧を供給し、前記第１駆動電極の第２端部と前記第２駆動電極の第１端部に前記第１駆動電圧と異なる第２駆動電圧を供給する制御部と、
を備え、
前記第１スキャナ回路と前記第３スキャナ回路が前記第１駆動電極を同時に選択し、前記第２スキャナ回路と前記第４スキャナ回路が前記第２駆動電極を同時に選択する、入力検出装置。
【請求項２２】
第１端部と第２端部とを有する複数の駆動電極と、
前記複数の駆動電極の第１端部を選択する第１スキャナ回路および第２スキャナ回路と、
前記複数の駆動電極の第２端部を選択する第３スキャナ回路および第４スキャナ回路と、
前記第１スキャナ回路、前記第２スキャナ回路、前記第３スキャナ回路および前記第４スキャナ回路を介して、第１駆動電極の第１端部と第２駆動電極の第２端部に第１駆動電圧を供給し、前記第１駆動電極の第２端部と前記第２駆動電極の第１端部に前記第１駆動電圧と異なる第２駆動電圧を供給する制御部と、
を備え、
前記第１駆動電極と前記第２駆動電極との間には、ｎ本の非選択の駆動電極が配置され、前記第１駆動電極および前記第２駆動電極はｍ本の駆動電極を含み、前記ｍおよびｎの数はそれぞれ変更可能である、入力検出装置。
【発明の詳細な説明】
【技術分野】
【０００１】
本発明は、入力検出装置および電子装置に関し、特に外部物体の近接を検出可能なタッチ検出機能を有する入力検出装置および電子装置に関する。
【背景技術】
【０００２】
近年、入力検出装置として、いわゆるタッチパネルと呼ばれる、外部物体の近接（以下、接触も含む）を検出可能なタッチ検出機能を有する入力検出装置が注目されている。タッチパネルは、表示装置、例えば液晶表示装置上に装着または液晶表示装置と一体化され、タッチ検出機能付き表示装置として提供される。
【０００３】
外部物体として、例えばペンを用いることを可能にしたタッチパネルがある。ペンを用いることにより、例えば小さな領域を指定したり、手書き文字の入力が可能となる。ペンによるタッチを検出する技術は、種々ある。種々ある技術の一つとして、電磁誘導方式がある。電磁誘導方式は、高精度、高い筆圧検出精度を実現することが可能であり、外部物体がタッチパネル表面から離間したホバリング検出機能も実現可能であるため、ペンによるタッチを検出する技術としては有力な技術である。
【０００４】
また、外部物体として、指等の検出が可能なタッチ検出装置がある。この場合、検出対象が、ペンと異なるため、タッチを検出する技術としては、電磁誘導方式とは異なる方式が採用される。例えば、指等のタッチにより生じる光学的な変化、抵抗値の変化、あるいは電界の変化を検出する方式が存在する。これらの方式のなかで、電界の変化を検出する方式は、例えば静電容量を用いる静電容量方式がある。静電容量方式は、比較的単純な構造を有し、低消費電力であるため、携帯情報端末などに用いられている。
【０００５】
電磁誘導方式のタッチパネルに関する技術は、例えば特許文献１に記載されている。
【先行技術文献】
【特許文献】
【０００６】
【特許文献１】特開平１０−４９３０１号公報
【発明の概要】
【発明が解決しようとする課題】
【０００７】
従来では、指とペンの両方を検出したい場合に静電容量方式のタッチパネルと電磁誘導方式のタッチパネルを重ねて使用する必要があった。このため、入力装置が大型化し、製造コストも高くなるという問題があった。また、タッチパネルに画像を表示するにはさらに表示装置を重ねる必要があった。
【０００８】
特許文献１には、位置指示ペンの検出回路が表示装置に内蔵された電磁誘導方式の座標入力装置に関する技術が記載されているが、静電容量方式のタッチパネルについては記載も認識もされていない。また、特許文献１に記載の座標入力装置では、ペンの内部で電磁波を発生させるため、ペンに電池が必要となりペンが大型化する場合があった。
【０００９】
本発明者らは、このような課題に鑑みて、電磁誘導方式と静電容量方式とが一体化した入力検出装置であって、表示装置に内蔵することも可能な入力検出装置の実現について鋭意研究を繰り返した結果、本発明に至った。
【００１０】
本発明の目的は、電磁誘導方式と静電容量方式との両方の駆動が可能な入力検出装置を提供することにある。
【課題を解決するための手段】
【００１１】
本発明の一態様に係る入力検出装置は、第１端部と第２端部とを有する複数の駆動電極と、前記複数の駆動電極の第１端部を選択する第１スキャナ回路および第２スキャナ回路と、前記複数の駆動電極の第２端部を選択する第３スキャナ回路および第４スキャナ回路と、前記第１スキャナ回路、前記第２スキャナ回路、前記第３スキャナ回路および前記第４スキャナ回路を介して、第１駆動電極の第１端部と第２駆動電極の第２端部に第１駆動電圧を供給し、前記第１駆動電極の第２端部と前記第２駆動電極の第１端部に前記第１駆動電圧と異なる第２駆動電圧を供給する制御部と、を備える。
【００１２】
また、他の一形態として、入力検出装置は、前記駆動電極の第１端部と、前記第１スキャナ回路および前記第２スキャナ回路との間に接続される第１選択駆動回路と、前記駆動電極の第２端部と、前記第３スキャナ回路および前記第４スキャナ回路との間に接続される第２選択駆動回路と、をさらに備える。
【００１３】
また、他の一形態として、前記制御部は、前記第１スキャナ回路または前記第２スキャナ回路の一方が前記第１駆動電極の第１端部に前記第１駆動電圧の供給を選択する時に、前記第１スキャナ回路または前記第２スキャナ回路の一方を介して、前記第１駆動電極の第１端部に前記第１駆動電圧を供給し、前記第３スキャナ回路または前記第４スキャナ回路の一方を介して、前記第１駆動電極の第２端部に前記第２駆動電圧を供給し、前記第１スキャナ回路または前記第２スキャナ回路の残りの一方を介して、前記第２駆動電極の第１端部に前記第２駆動電圧を供給し、前記第３スキャナ回路または前記第４スキャナ回路の残りの一方を介して、前記第２駆動電極の第２端部に前記第１駆動電圧を供給する。
【図面の簡単な説明】
【００１４】
【図１】（Ａ）および（Ｂ）は、表示装置の構成を示す平面図および断面図である。
【図２】（Ａ）〜（Ｃ）は、電磁誘導方式の原理を示す説明図である。
【図３】（Ａ）〜（Ｃ）は、静電容量方式の原理を示す説明図である。
【図４】実施の形態１に係わる表示装置の構成を示すブロック図である。
【図５】実施の形態１に係わるモジュールの構成を示す平面図である。
【図６】（Ａ）および（Ｂ）は、実施の形態１に係わる電磁誘導方式の駆動方法を説明するための説明図である。
【図７】（Ａ）および（Ｂ）は、実施の形態１に係わる電磁誘導方式の別の駆動方法を説明するための説明図である。
【図８】実施の形態１に係わる静電容量方式の駆動方法を説明するための説明図である。
【図９】実施の形態１に係わる第１スキャナ回路対、第２スキャナ回路対、第１選択駆動回路および第２選択駆動回路の構成を示すブロック図である。
【図１０】（Ａ）および（Ｂ）は、実施の形態１に係わる第１スキャナ回路および第２スキャナ回路の構成を概略的に示すブロック図である。
【図１１】（Ａ）および（Ｂ）は、実施の形態１に係わる第３スキャナ回路および第４スキャナ回路の構成を概略的に示すブロック図である。
【図１２】（Ａ）および（Ｂ）は、実施の形態１に係わる第１選択駆動回路および第２選択駆動回路の構成を示す回路図である。
【図１３】実施の形態１に係わる磁界タッチ検出の全体動作を説明する波形図である。
【図１４】実施の形態１に係わる磁界タッチ検出の全体動作を説明する波形図である。
【図１５】実施の形態１に係わる電界タッチ検出の構成を示すブロック図である。
【図１６】実施の形態１に係わる電界タッチ検出の動作を説明する波形図である。
【図１７】実施の形態１に係わる電界タッチ検出の動作を説明する波形図である。
【図１８】実施の形態１に係わるゲートドライバ、第１スキャナ回路対および第１選択駆動回路の配置を説明するための平面図である。
【図１９】実施の形態２に係わる第１スキャナ回路対、第２スキャナ回路対、第１選択駆動回路および第２選択駆動回路の構成を示すブロック図である。
【図２０】実施の形態２に係わる第２選択駆動回路の構成を示す回路図である。
【図２１】実施の形態２に係わる磁界タッチ検出の全体動作を説明する波形図である。
【図２２】実施の形態２に係わる磁界タッチ検出の全体動作を説明する波形図である。
【図２３】実施の形態２に係わる電界タッチ検出の構成を示すブロック図である。
【図２４】実施の形態２に係わる電界タッチ検出の動作を説明する波形図である。
【図２５】実施の形態２に係わる電界タッチ検出の動作を説明する波形図である。
【図２６】実施の形態１および２に係わる電子装置を示す斜視図である。
【発明を実施するための形態】
【００１５】
以下、本発明の各実施の形態について、図面を参照しつつ説明する。なお、開示はあくまでも一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。
【００１６】
また、本明細書と各図において、既出の図に関して前述したものと同様の要素には、同一の符号を付して、詳細な説明を適宜省略することがある。以下の説明は、入力検出装置として、タッチ検出機能付き液晶表示装置を例として述べるが、これに限定されるものではない。例えば、入力検出装置は、タッチ検出機能付きＯＬＥＤ表示装置でもよいし、表示機能を有していないタッチパネル等であってもよい。
【００１７】
（実施の形態１）
実施の形態１では、ペンによるタッチと指によるタッチの両方を検出することが可能なタッチ検出機能付き液晶表示装置（以下、表示装置とも称する）が提供される。実施の形態１に係わる表示装置は、タッチ検出機能を有する入力検出装置を表示装置と一体化した、いわゆるインセルタイプの表示装置である。先ず、表示装置の基本的な構成を説明し、次に、この基本的な構成を基にして、ペンによるタッチを検出する磁界検出（以下、磁界タッチ検出、電磁誘導方式による磁界タッチ検出とも称する）および指によるタッチを検出する電界検出（以下、電界タッチ検出、静電容量方式による電界タッチ検出とも称する）の原理を説明する。
【００１８】
＜表示装置の基本的な構成＞
図１は、表示装置の構成を模式的に示す図である。図１において、１は、表示装置を示しており、図１（Ａ）は、表示装置１の平面を示す平面図であり、図１（Ｂ）は、表示装置１の断面を示す断面図である。表示装置１は、ＴＦＴ（Ｔｈｉｎ  Ｆｉｌｍ  Ｔｒａｎｓｉｓｔｏｒ）ガラス基板（以下、絶縁性第１基板または単に第１基板とも称する）ＴＧＢと、第１基板ＴＧＢに積層されたレイヤ（層）、カラーフィルタＣＦＴ、ＣＦ（Ｃｏｌｏｒ  Ｆｉｌｔｅｒ）ガラス基板（以下、絶縁性第２基板または単に第２基板とも称する）ＣＧＢおよび第２基板ＣＧＢに積層されたレイヤ（層）を備えている。
【００１９】
図１（Ａ）において、ＴＬ（０）〜ＴＬ（ｐ）は、第１基板ＴＧＢの第１主面ＴＳＦ１に形成されたレイヤによって構成された駆動電極を示している。また、ＲＬ（０）〜ＲＬ（ｐ）は、第２基板ＣＧＢの第１主面ＣＳＦ１に形成されたレイヤによって構成された検出電極を示している。理解を容易にするために、図１（Ａ）では、第１基板ＴＧＢと第２基板ＣＧＢとが分離して、描かれているが、実際には、図１（Ｂ）に示すように、液晶層を挟んで、第１基板ＴＧＢの第１主面ＴＳＦ１と第２基板ＣＧＢの第２主面ＣＳＦ２とが対向するように配置されている。
【００２０】
第１基板ＴＧＢの第１主面ＴＳＦ１と、第２基板ＣＧＢの第２主面ＣＳＦ２との間には、複数のレイヤと、液晶層等が挟まれているが、図１（Ｂ）では、第１主面ＴＳＦ１と第２主面ＣＳＦ２との間に挟まれた駆動電極ＴＬ（０）〜ＴＬ（ｎ＋２）、液晶層およびカラーフィルタＣＦＴのみが示されている。また、第２基板ＣＧＢの第１主面ＣＳＦ１には、図１（Ａ）に示すように複数の検出電極ＲＬ（０）〜ＲＬ（ｐ）と偏光板が配置されている。また、図１（Ｂ）において、１３は検出電極ＲＬ（ｎ）に接続された単位検出回路を示している。
【００２１】
本明細書では、表示装置１を、図１（Ｂ）に示すように、第２基板ＣＧＢおよび第１基板ＴＧＢの第１主面ＣＳＦ１、ＴＳＦ１側から見たときの状態を、平面視として説明する。第１主面ＣＳＦ１およびＴＳＦ１側から、平面視で見たとき、駆動電極ＴＬ（０）〜ＴＬ（ｐ）は、第１基板ＴＧＢの第１主面ＴＳＦ１において、図１（Ａ）に示すように、行方向（横方向）に延在し、列方向（縦方向）に平行に配置されている。また、検出電極ＲＬ（０）〜ＲＬ（ｐ）は、第２基板ＣＧＢの第１主面ＣＳＦ１において、図１（Ａ）に示すように、列方向（縦方向）に延在し、行方向（横方向）に平行に配置されている。
【００２２】
駆動電極ＴＬ（０）〜ＴＬ（ｐ）と検出電極ＲＬ（０）〜ＲＬ（ｐ）の間には、第２基板ＣＧＢ、液晶層等が介在している。そのため、駆動電極ＴＬ（０）〜ＴＬ（ｐ）と検出電極ＲＬ（０）〜ＲＬ（ｐ）は、平面視で見たときには、交差しているが、互いに電気的に分離されている。駆動電極と検出電極との間には、容量が存在するため、図１（Ｂ）では、この容量が容量素子として破線で示されている。
【００２３】
駆動電極ＴＬ（０）〜ＴＬ（ｐ）と検出電極ＲＬ（０）〜ＲＬ（ｐ）とは、平面視で見たとき、直交していることが望ましいが、平面視で見たときに、駆動電極と検出電極とは傾きを持って交差していてもよい。そのため、以下の説明で用いる「直交」は「交差」も含むものと理解されるべきである。
【００２４】
＜磁界検出の原理＞
図２は、磁界検出の原理を示す説明図である。磁界検出の期間は、磁界を発生する磁界発生期間と磁界を検出する磁界検出期間とによって構成される。図２（Ａ）および（Ｃ）は、磁界発生期間のときの動作を示しており、図２（Ｂ）は、磁界検出期間のときの動作を示している。説明の都合上、図２（Ａ）〜（Ｃ）は、図１（Ａ）を９０度回転させた状態が示されている。
【００２５】
磁界発生期間においては、駆動電極ＴＬ（０）〜ＴＬ（ｐ）のうち、所定の駆動電極間の端部が、電気的に接続され、端部が接続された駆動電極に、所定の電圧（例えば接地電圧Ｖｓ）と磁界駆動信号が供給される。例えば、図１（Ａ）に示した駆動電極ＴＬ（０）およびＴＬ（２）のそれぞれの端部のうち、他方の端部が、図１（Ａ）の右側において電気的に接続される。これにより、互いに平行に配置されている駆動電極ＴＬ（０）およびＴＬ（２）が、直列的に接続される。駆動電極ＴＬ（０）の一方の端部に、図１（Ａ）の左側において、接地電圧Ｖｓを供給し、駆動電極ＴＬ（２）の一方の端部に、図１（Ａ）の左側において、磁界駆動信号を供給する。ここで、磁界駆動信号は、その電圧が周期的に変化する信号である。駆動電極ＴＬ（０）およびＴＬ（２）によって、この駆動電極により挟まれた領域（形成された領域）を内側とした磁界発生コイルが構成され、この磁界発生コイルは、磁界駆動信号の電圧の変化に応じた磁界を、その内側で発生する。
【００２６】
図２（Ａ）において、ＧＸ（ｎ−１）は、駆動電極ＴＬ（０）、ＴＬ（２）によって構成された磁界発生コイルを示し、ＧＸ（ｎ）〜ＧＸ（ｎ＋４）のそれぞれは、磁界発生コイルＧＸ（ｎ−１）と同様に、駆動電極ＴＬ（１）、ＴＬ（３）〜ＴＬ（ｐ）によって構成された磁界発生コイルを示している。
【００２７】
図２（Ａ）において、ＣおよびＬ１は、ペンＰｅｎに内蔵されている容量素子およびコイルを示している。容量素子ＣとコイルＬ１は、共振回路を構成するように、並列接続されている。磁界発生期間において、磁界発生コイルＧＸ（ｎ−１）〜ＧＸ（ｎ＋３）のそれぞれの一方の端部には、接地電圧Ｖｓが供給される。磁界駆動信号ＣＬＫが、磁界発生コイルＧＸ（ｎ）の他方の端部に供給される。これにより、磁界発生コイルＧＸ（ｎ）が、磁界駆動信号ＣＬＫの電圧変化に応じた磁界φ１を発生する。ペンＰｅｎが、磁界発生コイルＧＸ（ｎ）に近接していれば、磁界発生コイルＧＸ（ｎ）とコイルＬ１との間は電磁結合され、磁界φ１によってコイルＬ１に相互誘導による誘起電圧が発生し、容量素子Ｃが充電される。
【００２８】
次に、図２（Ｂ）に示す磁界検出期間に移行する。磁界検出期間においては、検出電極ＲＬ（０）〜ＲＬ（ｐ）を用いて、磁界の検出が行われる。検出電極ＲＬ（０）〜ＲＬ（ｐ）は一対の端部を有している。検出電極ＲＬ（０）〜ＲＬ（ｐ）のうち、所定の検出電極間の他方の端部が、互いに電気的に接続される。例えば、図１（Ａ）に示した検出電極Ｒ（０）とＲＬ（３）のそれぞれの他方の端部が、図１（Ａ）の上側において電気的に接続される。これにより、平行に配置された検出電極ＲＬ（０）、ＲＬ（３）が直列的に接続される。磁界検出期間においては、検出電極ＲＬ（３）の一方の端部に所定の電圧Ｖｓが供給され、検出電極ＲＬ（０）の一方の端部が、単位検出回路に接続される。これにより、検出電極ＲＬ（０）とＲＬ（３）とによって挟まれた領域（形成された領域）を内側とした磁界検出コイルが形成され、この磁界検出コイルによって、ペンＰｅｎからの磁界の検出が行われる。
【００２９】
図２（Ｂ）において、ＤＹ（ｎ−２）は、検出電極ＲＬ（０）、ＲＬ（３）によって構成された磁界検出コイルを示しており、ＤＹ（ｎ−１）〜ＤＹ（ｎ＋１）は、同様に検出電極ＲＬ（２）〜ＲＬ（ｐ）によって構成された磁界検出コイルを示している。磁界検出期間のとき、磁界検出コイルＤＹ（ｎ−１）〜ＤＹ（ｎ＋１）のそれぞれの一方の端部に、所定の電圧Ｖｓが供給され、それぞれの他方の端部における信号Ｒｘ（ｎ−１）〜Ｒｘ（ｎ＋１）が、単位検出回路に供給される。
【００３０】
磁界発生期間において、容量素子Ｃに充電が行われていれば、磁界検出期間のとき、コイルＬ１は、容量素子Ｃに充電されている電荷に従って、共振回路の共振周波数に応じて変化する磁界φ２を発生する。図２（Ｂ）では、磁界検出コイルＤＹ（ｎ）の内側に、コイルＬ１の中心（一点鎖線）が存在している。そのため、磁界検出コイルＤＹ（ｎ）とコイルＬ１との間で電磁結合が発生し、相互誘導によって、磁界検出コイルＤＹ（ｎ）に誘起電圧が発生する。その結果、磁界検出コイルＤＹ（ｎ）の他方の端部における信号Ｒｘ（ｎ）は、容量素子Ｃに充電されている電荷量に応じて変化することになる。磁界検出コイルＤＹ（ｎ）に接続された単位検出回路は、この信号Ｒｘ（ｎ）の変化を検出信号として出力する。これにより、ペンＰｅｎが近接（タッチ）しているか否か、および座標を抽出することが可能となる。また、電荷量に応じて検出信号が変化するため、ペンＰｅｎとの距離を求めることが可能となる。
【００３１】
図２（Ｃ）は、図２（Ｂ）に続いて移行した磁界発生期間を示している。図２（Ａ）と異なるのは、磁界発生コイルＧＸ（ｎ＋１）に磁界駆動信号ＣＬＫが供給されていることである。ペンＰｅｎの位置は変化していないため、図２（Ｃ）に示した磁界発生期間においては、コイルＬ１に誘起電圧が発生せず、容量素子Ｃは充電されない。これにより、図２（Ｃ）に続いて移行する磁界検出期間においては、ペンＰｅｎが近接していないと検出される。以降、同様にして、ペンＰｅｎの検出が行われる。
【００３２】
＜電界検出の原理＞
図３は、電界検出の原理を示す説明図である。図３（Ａ）において、１２−０〜１２−ｐのそれぞれは、電界駆動信号を出力する単位駆動回路を示し、１３−０〜１３−ｐのそれぞれは、単位検出回路を示している。また、図３（Ａ）において、実線の○で囲んだパルス信号は、駆動電極ＴＬ（２）へ供給される電界駆動信号Ｔｘ（２）の波形を示している。外部物体として、指がＦＧとして示されている。
【００３３】
駆動電極ＴＬ（２）に、電界駆動信号Ｔｘ（２）が供給されると、図３（Ｂ）に示すように、駆動電極ＴＬ（２）と、この駆動電極ＴＬ（２）と直交する検出電極ＲＬ（ｎ）との間で電界が発生する。このとき、指ＦＧが、駆動電極ＴＬ（２）の近傍をタッチしていると、指ＦＧと駆動電極ＴＬ（２）との間でも電界が発生し、駆動電極ＴＬ（２）と検出電極ＲＬ（ｎ）との間で発生している電界が減少する。これにより、駆動電極ＴＬ（２）と検出電極ＲＬ（ｎ）との間の電荷量が減少する。その結果、図３（Ｃ）に示すように、駆動信号Ｔｘ（２）の供給に応答して生じる電荷量は、指ＦＧがタッチしているときは、タッチしていないときに比べてΔＱだけ減少する。電荷量の差は、電圧の差として表れ、単位検出回路１３−ｎに供給され、検出信号として出力される。
【００３４】
他の駆動電極についても、同様にして、電界駆動信号を供給することにより、指ＦＧがタッチしているか否かに応じた信号の電圧変化が、検出電極ＲＬ（０）〜ＲＬ（ｐ）に生じ、検出信号として出力されることになる。これにより、指ＦＧがタッチしているか否か、および座標を抽出することが可能となる。
【００３５】
上記したように、磁界検出の際には、駆動電極ＴＬ（０）〜ＴＬ（ｐ）のうち、選択された駆動電極に磁界駆動信号が供給され、電界検出の際には、選択された駆動電極に電界駆動信号が供給される。一方、表示の際には、駆動電極ＴＬ（０）〜ＴＬ（ｐ）に、表示駆動信号が供給される。表示駆動信号によって、駆動電極ＴＬ（０）〜ＴＬ（ｐ）のそれぞれは、同じ電圧とされるため、駆動電極ＴＬ（０）〜ＴＬ（ｐ）は、１個の共通電極と見なすことができる。
【００３６】
＜表示装置の全体構成＞
図４は、実施の形態１に係わる表示装置１の構成を示すブロック図である。図４において、表示装置１は、表示パネル（液晶パネル）、制御装置３、ゲートドライバ４およびタッチ制御装置５を備えている。また、表示装置１は、第１スキャナ回路対ＳＣＬ、第２スキャナ回路対ＳＣＲ、第１選択駆動回路ＳＤＬ、第２選択駆動回路ＳＤＲおよび検出回路ＤＥＴを備えている。表示パネルは、表示を行う表示領域とその周辺の額縁領域とを備えている。表示と言う観点で見た場合、表示領域はアクティブ領域であり、表示領域を包囲する額縁領域は非アクティブ領域である。図４では、２が、表示領域である。
【００３７】
表示領域２は、複数の画素が行列状に配置された画素配列を有している。画素配列には、複数の信号線、複数の駆動電極、複数の走査線および複数の検出電極が配置されている。図４を参照して述べると、画素配列において、信号線ＳＬ（０）〜ＳＬ（ｐ）は、縦方向（列方向）に延在し、横方向（行方向）に平行に配置されている。また、駆動電極ＴＬ（０）〜ＴＬ（ｐ）は、横方向に延在し、縦方向に平行に配置されている。さらに、走査線は、横方向に延在し、縦方向に平行に配置され、検出電極ＲＬ（０）〜ＲＬ（ｐ）は、縦方向に延在し、横方向に平行に配置されている。この場合、画素は、かかる複数の信号線と複数の走査線とが交差することにより形成される空間に配置されている。表示の期間（表示期間）においては、信号線と走査線により、画素が選択され、選択された画素には、そのときの信号線の電圧と、駆動電極の電圧が印加され、信号線と駆動電極との間の電圧差に従った表示が行われる。
【００３８】
制御装置３は、外部端子Ｔｔに供給されるタイミング信号と入力端子Ｔｉに供給される画像情報とを受け、表示期間のとき、画像情報に従った画像信号を形成し、複数の信号線ＳＬ（０）〜ＳＬ（ｐ）に供給する。また、制御装置３は、外部端子Ｔｔに供給されるタイミング信号とタッチ制御装置５からの制御信号ＳＷとを受け、種々の信号を形成する。図４には、制御装置３により形成される信号のうち、説明に必要な信号のみが、代表として描かれている。すなわち、制御装置３は、同期信号ＴＳＨＤ、駆動信号ＴＰＨ、ＴＰＬ、制御信号ＣＯＭＦＬ、検出タイミング信号ＣＯＭＳＥＬを形成する。また、制御装置３は、シフトクロック信号ＣＫ−ＡＲ、ＣＫ−ＢＲ、ＣＫ−ＡＬ、ＣＫ−ＢＬおよびスタート信号ＳＴ−ＡＲ、ＳＴ−ＢＲ、ＳＴ−ＡＬ、ＳＴ−ＢＬを形成する。
【００３９】
ここで、制御装置３は本発明に係る制御部である。
【００４０】
特に制限されないが、この実施の形態１において、制御装置３は、離間量レジスタＳ−ＲＥＧを備えている。この離間量レジスタＳ−ＲＥＧに格納された情報に基づいて、制御装置３は、スタート信号ＳＴ−ＡＲ、ＳＴ−ＢＲ、ＳＴ−ＡＬ、ＳＴ−ＢＬおよびシフトクロック信号を形成する。また、制御装置３は、破線で示した束レジスタＣ−ＲＥＧを備えている。この束レジスタＣ−ＲＥＧに格納された情報に基づいて、制御装置３は、スタート信号ＳＴ−ＡＲ、ＳＴ−ＢＲ、ＳＴ−ＡＬ、ＳＴ−ＢＬおよびシフトクロック信号を形成する。
【００４１】
同期信号ＴＳＨＤは、表示領域２において表示を行う表示期間とタッチ検出を行うタッチ検出期間とを識別する同期信号である。制御装置３は、この同期信号ＴＳＨＤによって、タッチ制御装置５が、タッチ検出期間の際に動作するように制御する。
【００４２】
ゲートドライバ４は、表示のとき、制御装置３からのタイミング信号に従って走査線信号Ｖｓ０〜Ｖｓｐを形成し、表示領域２内の走査線に供給する。表示期間においては、ハイレベルの走査線信号が供給されている走査線に接続されている画素が選択され、選択された画素は、そのとき信号線ＳＬ（０）〜ＳＬ（ｐ）に供給されている画像信号に従った表示を行う。
【００４３】
なお、図４では、表示領域２の辺２−Ｌに沿った額縁領域のみにゲートドライバ４が配置されているが、同一構成のゲートドライバ４が、辺２―Ｒに沿った額縁領域にも配置されていてもよい。
【００４４】
検出回路ＤＥＴは、磁界タッチ検出および電界タッチ検出の際に、検出電極ＲＬ（０）〜ＲＬ（ｐ）における信号の変化を検出し、検出信号Ｒｘ（０）〜Ｒｘ（ｐ）として出力する。
【００４５】
タッチ制御装置５は、検出信号Ｒｘ（０）〜Ｒｘ（ｐ）を受け、タッチされた位置の座標を抽出し、外部端子Ｔｏから出力する。また、タッチ制御装置５は、制御信号ＳＷを出力するとともに、同期信号ＴＳＨＤを受け、制御装置３に同期して動作する。
【００４６】
表示領域２は、画素配列の行に平行した辺２−Ｕ、２−Ｄと、画素配列の列に平行した辺２−Ｒ、２−Ｌを有している。ここで、辺２−Ｕと辺２−Ｄは、互いに対向した辺であり、この２辺の間に、画素配列における複数の駆動電極と複数の走査線が配置されている。また、辺２−Ｒと辺２−Ｌも、互いに対向した辺であり、この２辺の間に、画素配列における複数の信号線と複数の検出電極が配置されている。
【００４７】
第１スキャナ回路対ＳＣＬおよび第１選択駆動回路ＳＤＬは、表示領域２の辺２−Ｌに沿って、複数の駆動電極の第１端部に近接するように配置されており、第１選択駆動回路ＳＤＬは、辺２−Ｌにおいて、駆動電極ＴＬ（０）〜ＴＬ（ｐ）のそれぞれの第１端部に接続されている。同様に、第２スキャナ回路対ＳＣＲおよび第２選択駆動回路ＳＤＲは、表示領域２の辺２−Ｒに沿って、複数の駆動電極の第２端部に近接するように配置されており、第２選択駆動回路ＳＤＲは、辺２−Ｒにおいて、駆動電極ＴＬ（０）〜ＴＬ（ｐ）のそれぞれの第２端部に接続されている。
【００４８】
第１スキャナ回路対ＳＣＬは、一対の第１スキャナ回路ＳＣＡＬおよび第２スキャナ回路ＳＣＢＬを有し、第１選択駆動回路ＳＤＬは、選択回路ＳＥＬＬと駆動回路ＤＲＶＬを有している。同様に、第２スキャナ回路対ＳＣＲは、一対の第３スキャナ回路ＳＣＡＲおよび第４スキャナ回路ＳＣＢＲを有し、第２選択駆動回路ＳＤＲは、選択回路ＳＥＬＲと駆動回路ＤＲＶＲを有している。
【００４９】
駆動回路ＤＲＶＬと駆動回路ＤＲＶＲはそれぞれ、制御装置３から駆動信号ＴＰＨと駆動信号ＴＰＬとが供給される信号配線ＴＰＨと信号配線ＴＰＬとを備える。
【００５０】
第１スキャナ回路対ＳＣＬ、第２スキャナ回路対ＳＣＲ、第１選択駆動回路ＳＤＬおよび第２選択駆動回路ＳＤＲは、磁界タッチ検出のとき、駆動電極ＴＬ（０）〜ＴＬ（ｐ）から、所望の駆動電極を選択し、選択した駆動電極に磁界駆動信号を供給し、電界タッチ検出のときにも、所望の駆動電極を選択し、選択した駆動電極に電界駆動信号を供給する。そのため、磁界タッチ検出および電界タッチ検出の際には、第１スキャナ回路対ＳＣＬ、第２スキャナ回路対ＳＣＲ、第１選択駆動回路ＳＤＬおよび第２選択駆動回路ＳＤＲによって、駆動電極を駆動する駆動回路が構成されていると見なすことができる。
【００５１】
第１スキャナ回路対ＳＣＬ、第２スキャナ回路対ＳＣＲ、第１選択駆動回路ＳＤＬおよび第２選択駆動回路ＳＤＲについては、後で図を用いて詳しく説明するので、ここでは、これ以上、説明しない。
【００５２】
＜表示装置のモジュール構成＞
図５は、実施の形態１に係わる表示装置１を実装したモジュール５００の全体構成を示す模式的な平面図である。模式的ではあるが、図５は、実際の配置に合わせて描かれている。同図において、５０１は、図１で示した第１基板ＴＧＢの領域を示し、５０２は、第１基板ＴＧＢと第２基板ＣＧＢとが積層された領域を示している。モジュール５００において、第１基板ＴＧＢは、領域５０１と５０２において一体となっている。また、領域５０２では、第１基板ＴＧＢの第１主面ＴＳＦ１と第２基板ＣＧＢの第２主面ＣＳＦ２とが対向するように、第１基板ＴＧＢに第２基板ＣＧＢが搭載されている。また、図５において、５００−Ｕ、５００−Ｄは、モジュール５００の短辺を示しており、５００−Ｌ、５００−Ｒは、モジュール５００の長辺を示している。
【００５３】
領域５０２であって、表示領域２の辺２−Ｌとモジュール５００の辺５００−Ｌとの間の額縁領域には、図４で示したゲートドライバ４、第１スキャナ回路対ＳＣＬおよび第１選択駆動回路ＳＤＬが配置されている。領域５０２であって、表示領域２の辺２−Ｒとモジュール５００の辺５００−Ｒとの間の額縁領域には、図４で示した第２スキャナ回路対ＳＣＲおよび第２選択駆動回路ＳＤＲが配置されている。表示領域２の辺２−Ｄとモジュール５００の辺５００−Ｄとの間の額縁領域には、図４で示した検出回路ＤＥＴおよび制御装置３が配置されている。検出回路ＤＥＴは、領域５０１の第１基板ＴＧＢの第１主面ＴＳＦ１に形成された配線および部品により構成されている。平面視で見たとき、検出回路ＤＥＴを覆うように、制御装置３が、第１基板ＴＧＢに実装されている。また、第１スキャナ回路対ＳＣＬ、第２スキャナ回路対ＳＣＲ、第１選択駆動回路ＳＤＬおよび第２選択駆動回路ＳＤＲを構成する配線および部品も、領域５０２における第１基板ＴＧＢの第１主面ＴＳＦ１に形成されている。
【００５４】
図４において説明した検出信号Ｒｘ（０）〜Ｒｘ（ｐ）は、フレキシブルケーブルＦＢ１内の配線を介して、タッチ制御装置５に供給される。領域５０１には、フレキシブルケーブルＦＢ２が接続されており、このフレキシブルケーブルＦＢ２に設けられたコネクタＣＮを介して、タッチ制御装置５と制御装置３との間で信号の送受信が行われる。
【００５５】
表示領域２には、既に述べたように、複数の画素が行列状に配列された画素配列を有しており、画素配列の行に沿って配置された複数の駆動電極ＴＬ（０）〜ＴＬ（ｐ）および走査線と、配列の列に沿って配置された複数の信号線ＳＬ（０）〜ＳＬ（ｐ）と複数の検出電極ＲＬ（０）〜ＲＬ（ｐ）とを備えている。図５には、例として、２個の駆動電極ＴＬ（ｎ）、ＴＬ（ｍ）と２個の信号線ＳＬ（ｋ）、ＳＬ（ｎ）と３個の検出電極ＲＬ（ｎ−２）〜ＲＬ（ｎ）が示されている。なお、図５では、走査線は、省略されているが、走査線は、例示した駆動電極ＴＬ（ｎ）、ＴＬ（ｍ）と平行して、延在している。
【００５６】
また、図５には、画素配列が、破線ＰＤＭとして示されており、画素配列ＰＤＭに配置されている複数の画素のうち、表示領域２の４個の角に配置されている画素と、例示した駆動電極および信号線との交差部に配置された画素が、Ｐｉｘとして示されている。
【００５７】
＜電磁誘導方式と静電容量方式との両方の駆動方法＞
図６〜図８は、実施の形態１に係わる電磁誘導方式と静電容量方式との両方の駆動方法を説明するための説明図である。
【００５８】
この実施の形態１では、電磁誘導方式の入力検出と静電容量方式の入力検出の両方を一つの装置構成で行うことができる入力検出装置を内蔵した表示装置について説明する。この実施の形態１の表示装置は、一つの装置構成により電磁誘導方式の検出動作と静電容量方式の検出動作と、表示動作とを時分割で行うことができるようになっている。しかし、この実施の形態１に限定されず、電磁誘導方式の入力検出と、静電容量方式の入力検出を行う入力検出装置と、表示動作を行う表示装置とを重ねて使用することもできる。
【００５９】
図６（Ａ）および（Ｂ）は、本実施の形態１における電磁誘導方式の駆動方法を説明するための説明図である。図２では、離間して配置された２本の駆動電極の端部を直列に接続してループ状の磁界発生コイルを構成する例により磁界タッチ検出の原理を示したが、本実施の形態１では、磁界タッチ検出の時、離間して配置された２本の駆動電極を同時に選択し、互いに電流が反対の向きに流れるように、駆動電圧を供給する。
【００６０】
図６（Ａ）および（Ｂ）では、表示領域２の辺２−Ｌと２−Ｒに沿って配列した駆動電極ＴＬ（０）〜ＴＬ（ｐ）の中から、離間して配置された駆動電極ＴＬ（ｎ＋３）と駆動電極ＴＬ（ｎ＋１）が同時に選択されている。
【００６１】
信号配線ＴＰＨには、図２で説明した磁界駆動信号に相当する交流の駆動信号ＴＰＨが供給される。この交流信号は、例えばゼロ電圧と、ゼロ電圧より電圧値の高いプラス電圧とに変動する。プラス電圧は、ゼロ電圧より電圧値が高い電圧であればどのような値であってもよい。
【００６２】
なお、表示領域の辺２−Ｌに沿った信号配線ＴＰＨと辺２−Ｒに沿った信号配線ＴＰＨに供給される交流電圧の位相および振幅は同一である。信号配線ＴＰＬに、図２で説明した接地電圧に相当するゼロ電圧が駆動信号ＴＰＬとして供給される。
【００６３】
図６（Ａ）は、信号配線ＴＰＨから選択される駆動電極にプラス電圧が供給されている時の駆動状態を示す。
【００６４】
駆動電極ＴＬ（ｎ＋３）の端部ｎ１は、単位駆動回路ＵＳＬの第１スイッチＳ０１を介して信号配線ＴＰＨに接続され、＋で図示されるプラスの電圧が供給されている。駆動電極ＴＬ（ｎ＋３）の端部ｎ２は、単位駆動回路ＵＳＲの第２スイッチＳ００を介して信号配線ＴＰＬに接続され、０で図示されるゼロ電圧が供給されている。＋電圧は０電圧よりも高い電圧であるため、駆動電極ＴＬ（ｎ＋３）の端部ｎ１から端部ｎ２の方向へ電流Ｉ１２が流れ、駆動電極ＴＬ（ｎ＋３）の周辺に磁界φ１２が発生する。
【００６５】
また、駆動電極ＴＬ（ｎ＋１）の端部ｎ１は、単位駆動回路ＵＳＬの第２スイッチＳ００を介して信号配線ＴＰＬに接続され、−で図示されるゼロ電圧が供給される。駆動電極ＴＬ（ｎ＋１）の端部ｎ２は、単位駆動回路ＵＳＲの第１スイッチＳ０１を介して信号配線ＴＰＨに接続され、＋で図示されるプラスの電圧が供給される。従って、駆動電極ＴＬ（ｎ＋１）には端部ｎ２から端部ｎ１の方向へ電流Ｉ１１が流れ、駆動電極ＴＬ（ｎ＋１）の周辺に磁界φ１１が発生する。
【００６６】
この時、駆動電極ＴＬ（ｎ＋３）と駆動電極ＴＬ（ｎ＋１）に流れる電流Ｉ１２とＩ１１の向きが反対であるため、それぞれの駆動電極の端部が直列に接続されていなくても、ループ状の磁界発生コイルを構成していると見なすことができる。電流Ｉ１１と電流Ｉ１２により生成した磁界φ１１とφ１２とは、それぞれ反対の向きを有し、駆動電極ＴＬ（ｎ＋３）と駆動電極ＴＬ（ｎ＋１）との間に配置された非選択の駆動電極ＴＬ（ｎ＋２）の領域で重畳する。このようにして、信号配線ＴＰＨからプラス電圧が供給される時に強い磁界を駆動電極ＴＬ（ｎ＋２）の領域に発生させることができる。
【００６７】
この時、駆動電極ＴＬ（ｎ＋３）を本発明に係る第１駆動電極、駆動電極ＴＬ（ｎ＋１）を第２駆動電極、プラス電圧を第１駆動電圧、ゼロ電圧を第２駆動電圧とする。本発明において、第１駆動電圧は第２駆動電圧よりも電圧値が高い駆動電圧である。第２駆動電圧はゼロ電圧に限られず第１駆動電圧と異なる電圧であって第１駆動電圧よりも電圧値が低い電圧であればよい。また、各駆動電極ＴＬ（０）〜ＴＬ（ｐ）の端部ｎ１を第１端部、端部ｎ２を第２端部とする。
【００６８】
この図では、第１駆動電極の第１端部から第２端部に電流が流れ、第２駆動電極の第２端部から第１端部に電流が流れるように駆動したが、第１駆動電極の第２端部から第１端部に電流が流れ、第２駆動電極の第１端部から第２端部に電流が流れるようにしてもよい。
【００６９】
駆動電極ＴＬ（ｎ＋２）を含め、非選択の駆動電極は駆動電圧が供給されないフローティング電位となっている。
【００７０】
図６（Ｂ）では、信号配線ＴＰＨから選択される駆動電極にゼロ電圧が供給されている時の駆動状態を示す。この図６（Ｂ）の状態では、駆動電極ＴＬ（ｎ＋１）、ＴＬ（ｎ＋３）の両端にゼロ電圧が供給され、電流が流れないため、駆動電極ＴＬ（ｎ＋２）の領域において磁界は発生しない。その後、信号配線ＴＰＨから供給される駆動電圧がプラス電圧に変化すると、再び、図６（Ａ）に示す駆動状態となり磁界が発生する。磁界タッチ検出の磁界発生期間においては駆動信号ＴＰＨの電圧変化に伴い、図６（Ａ）の状態と図６（Ｂ）の状態とが繰り返される。
【００７１】
図６に示す電磁誘導方式による磁界タッチ検出については、後で図９〜図１４などを用
いて詳しく説明する。
【００７２】
図７（Ａ）および（Ｂ）は、電磁誘導方式の別の駆動方法を説明するための説明図である。図６では、第１駆動電極および第２駆動電極が１本ずつの場合を説明したが、この図では第１駆動電極および第２駆動電極はそれぞれ複数の隣接した駆動電極を含んでいる。
【００７３】
図７（Ａ）においては、隣り合った３本の駆動電極（以下、束駆動電極とも称する）ＴＬ（ｎ−１）〜ＴＬ（ｎ＋１）と、隣り合った３本の駆動電極ＴＬ（ｎ＋３）〜ＴＬ（ｎ＋５）が、磁界タッチ検出期間の際に、同時に選択され、互いに反対の向きに電流が流れるように駆動される。この時束駆動電極ＴＬ（ｎ＋３）〜ＴＬ（ｎ＋５）が第１駆動電極、束駆動電極ＴＬ（ｎ−１）〜ＴＬ（ｎ＋１）が第２駆動電極に相当する。第１駆動電極と第２駆動電極がそれぞれ複数本の駆動電極の束からなる場合、発生する磁界φ２１とφ２２を図６の場合よりも強くすることができ、磁界タッチ検出の検出感度が向上する。特に限定されるものではないが、第１駆動電極と第２駆動電極の束ね数は等しいものとする。束ね数は３に限らず任意の値を設定することができる。
【００７４】
図７（Ａ）では、第１駆動電極ＴＬ（ｎ＋３）〜ＴＬ（ｎ＋５）のそれぞれの第１端部ｎ１に同時に信号配線ＴＰＨから＋で図示されるプラス電圧が供給され、それぞれの第２端部ｎ２に同時に信号配線ＴＰＬから０で図示されるゼロ電圧が供給されている。また、第２駆動電極ＴＬ（ｎ−１）〜ＴＬ（ｎ＋１）のそれぞれの第２端部ｎ２に同時に信号配線ＴＰＨから＋で図示されるプラス電圧が供給され、それぞれの第１端部ｎ１に同時に信号配線ＴＰＬから０で図示されるゼロ電圧が供給されている。
【００７５】
図７（Ａ）では、第２駆動電極ＴＬ（ｎ−１）〜ＴＬ（ｎ＋１）において、第２端部ｎ２から第１端部ｎ１へ向かう方向に電流Ｉ２１が流れ、第１駆動電極ＴＬ（ｎ＋３）〜ＴＬ（ｎ＋５）においては、第１端部ｎ１から第２端部ｎ２へ向かう方向に電流Ｉ２２が流れることになる。
【００７６】
図７（Ａ）においては、非選択の駆動電極ＴＬ（ｎ＋２）を挟むように、２個の束駆動電極ＴＬ（ｎ−１）〜ＴＬ（ｎ＋１）、ＴＬ（ｎ＋３）〜ＴＬ（ｎ＋５）が離間して配置され、それぞれが発生する磁界φ２１とφ２２が駆動電極ＴＬ（ｎ＋２）の領域において重畳されている。その後、信号配線ＴＰＨの電圧がゼロ電圧に変化すると図７（Ｂ）の駆動状態となり、２個の束駆動電極の間に磁界は発生しなくなる。磁界発生期間において図７（Ａ）と（Ｂ）の状態が繰り返される。
【００７７】
束駆動電極の数の設定方法として、例えば制御装置３は、図４に破線で示すような束レジスタＣ−ＲＥＧを設け、束駆動電極の個数、すなわち同時に選択する第１駆動電極および第２駆動電極の数を決定する情報を格納することができる。
【００７８】
また、制御装置３は、図４に示す離間量レジスタＳ−ＲＥＧにより、第１駆動電極と第２駆動電極の間に配置される非選択の駆動電極の数、すなわち第１駆動電極と第２駆動電極の離間量を決定する情報を格納することができる。
【００７９】
第１駆動電極および第２駆動電極のそれぞれの束ね数が大きいと、検出感度が向上し、束ね数が小さいと、検出の解像度が向上する。また、離間量によっても検出の解像度や感度等を制御することができる。これらに格納する情報を変更することで駆動電極を束ねる数や離間量を任意に定めることができる。
【００８０】
図８は、静電容量方式の駆動方法を説明するための説明図である。静電容量方式による電界タッチ検出のときは、駆動電極ＴＬ（０）〜ＴＬ（ｐ）から、所望の駆動電極を選択し、選択した駆動電極に電界駆動信号を供給する。図８では駆動電極ＴＬ（ｎ＋２）が選択され、駆動電極ＴＬ（ｎ＋２）の領域において、電界が発生する。
【００８１】
選択された駆動電極ＴＬ（ｎ＋２）は、第１端部ｎ１が単位駆動回路ＵＳＬの第１スイッチＳ０１を介して信号配線ＴＰＨに接続され、第２端部ｎ２が単位駆動回路ＵＳＲの第１スイッチＳ０１を介して信号配線ＴＰＨに接続される。また、非選択の駆動電極ＴＬ（０）〜ＴＬ（ｎ＋１）、ＴＬ（ｎ＋３）〜ＴＬ（ｐ）は、第１端部ｎ１が単位駆動回路ＵＳＬの第２スイッチＳ００を介して信号配線ＴＰＬに接続され、第２端部ｎ２が単位駆動回路ＵＳＲの第２スイッチＳ００を介して信号配線ＴＰＬに接続される。
【００８２】
電界タッチ検出のとき、信号配線ＴＰＬには、所定の駆動信号ＴＰＬが供給されている。所定の電圧として、例えば接地電圧Ｖｓ、表示用の駆動電圧ＶＣＯＭＤＣ等の直流電圧が挙げられる。信号配線ＴＰＨには、例えば電圧Ｖｓと電圧Ｖｄ（電圧Ｖｓよりも高い電圧）との間で電圧値が周期的に変化するような交流の駆動信号ＴＰＨが供給されている。電界タッチ検出の時の駆動信号ＴＰＨは電界駆動信号に相当する。
【００８３】
本発明において、電界タッチ検出の時の駆動信号ＴＰＨを第３駆動電圧とする。信号配線ＴＰＬに供給される所定の電圧は、特に制限されず任意の電圧を用いることができる。信号配線ＴＰＨに供給される電界駆動信号についても同様である。
【００８４】
電界タッチ検出においては、駆動電極の両端から電界駆動信号が供給されるので、これに伴って電界が発生し、駆動電極と容量を形成する検出電極から、電界駆動信号に応じた検出信号が出力されることになる。
【００８５】
図８に示す静電容量方式による電界タッチ検出については、後で図１５〜図１７などを用いて詳しく説明する。
【００８６】
＜第１スキャナ回路対、第２スキャナ回路対、第１選択駆動回路および第２選択駆動回路の構成＞
図９は、実施の形態１に係わる第１スキャナ回路対ＳＣＬ、第２スキャナ回路対ＳＣＲ、第１選択駆動回路ＳＤＬおよび第２選択駆動回路ＳＤＲの構成を示すブロック図である。図９では、図６に示した電磁誘導方式の駆動方法に対応する構成が示されている。図９では、図面が複雑になるのを避けるために、表示領域２に配置されている駆動電極ＴＬ（０）〜ＴＬ（ｐ）のうち、駆動電極ＴＬ（ｎ）〜ＴＬ（ｎ＋５）に対応する第１スキャナ回路対ＳＣＬ、第２スキャナ回路対ＳＣＲ、第１選択駆動回路ＳＤＬおよび第２選択駆動回路ＳＤＲの部分のみが示されている。図９に示していない駆動電極ＴＬ（０）〜ＴＬ（ｎ−１）およびＴＬ（ｎ＋６）〜ＴＬ（ｐ）についても、同様な構成になっている。ここでは、図９に示した部分を、代表として説明する。
【００８７】
第１選択駆動回路ＳＤＬは、選択回路ＳＥＬＬと駆動回路ＤＲＶＬとを備えており、表示領域２の辺２−Ｌに沿って配置されている。駆動回路ＤＲＶＬは、駆動電極ＴＬ（ｎ）〜ＴＬ（ｎ＋５）に対応した複数の単位駆動回路ＵＳＬを備えている。また、選択回路ＳＥＬＬも、駆動電極ＴＬ（ｎ）〜ＴＬ（ｎ＋５）のそれぞれに対応した単位選択回路ＳＥＬ（ｎ）〜ＳＥＬ（ｎ＋５）を備えている。また、駆動電極ＴＬ（ｎ）〜ＴＬ（ｎ＋５）のそれぞれは、一対の第１端部ｎ１、第２端部ｎ２を有している。
【００８８】
単位駆動回路ＵＳＬのそれぞれは、単位選択回路ＳＥＬ（ｎ）〜ＳＥＬ（ｎ＋５）に１対１に対応しており、第１スイッチＳ０１と第２スイッチＳ００とを備えている。第１スイッチＳ０１は、対応する駆動電極の第１端部ｎ１と信号配線ＴＰＨとの間に接続され、第２スイッチＳ００は、対応する駆動電極の第１端部ｎ１と信号配線ＴＰＬとの間に接続されている。第１スイッチＳ０１は、対応する単位選択回路からの第１単位選択信号によってスイッチ制御され、第２スイッチＳ００も、対応する単位選択回路からの第２単位選択信号によってスイッチ制御される。
【００８９】
駆動電極ＴＬ（ｎ）を例にして述べると、単位選択回路ＳＥＬ（ｎ）と、この単位選択回路ＳＥＬ（ｎ）に接続された単位駆動回路ＵＳＬが、駆動電極ＴＬ（ｎ）に対応していることになる。駆動電極ＴＬ（ｎ）の第１端部ｎ１は、単位選択回路ＳＥＬ（ｎ）からの第１単位選択信号ＳＥＬＨ＿Ｌ（ｎ）によってスイッチ制御される第１スイッチＳ０１を介して、信号配線ＴＰＨに接続されている。また、駆動電極ＴＬ（ｎ）の第１端部ｎ１は、単位選択回路ＳＥＬ（ｎ）からの第２単位選択信号ＳＥＬＧ＿Ｌ（ｎ）によってスイッチ制御される第２スイッチＳ００を介して、信号配線ＴＰＬに接続されている。
【００９０】
残りの駆動電極ＴＬ（ｎ＋１）〜ＴＬ（ｎ＋５）のそれぞれも、第１端部ｎ１は、対応する単位選択回路ＳＥＬ（ｎ＋１）〜ＳＥＬ（ｎ＋５）からの第１単位選択信号ＳＥＬＨ＿Ｌ（ｎ＋１）〜ＳＥＬＨ＿Ｌ（ｎ＋５）によってスイッチ制御される第１スイッチＳ０１を介して、信号配線ＴＰＨに接続されている。また、それぞれの第１端部ｎ１は、対応する単位選択回路ＳＥＬ（ｎ＋１）〜ＳＥＬ（ｎ＋５）からの第２単位選択信号ＳＥＬＧ＿Ｌ（ｎ＋１）〜ＳＥＬＧ＿Ｌ（ｎ＋５）によってスイッチ制御される第２スイッチＳ００を介して、信号配線ＴＰＬに接続されている。
【００９１】
選択回路ＳＥＬＬを構成する単位選択回路ＳＥＬ（ｎ）〜ＳＥＬ（ｎ＋５）には、第１スキャナ回路対ＳＣＬから、磁界タッチ検出および電界タッチ検出の際に、選択信号が供給される。すなわち、第１スキャナ回路対ＳＣＬを構成する一対の第１スキャナ回路ＳＣＡＬおよび第２スキャナ回路ＳＣＢＬから第１選択信号ＡＬ（ｎ）〜ＡＬ（ｎ＋５）および第２選択信号ＢＬ（ｎ）〜ＢＬ（ｎ＋５）が供給される。すなわち、第１スキャナ回路対ＳＣＬを構成する第１スキャナ回路ＳＣＡＬと第２スキャナ回路ＳＣＢＬとは、対応する駆動電極ＴＬ（ｎ）〜ＴＬ（ｎ＋５）の第１端部ｎ１に接続された単位選択回路ＳＥＬ（ｎ）〜ＳＥＬ（ｎ＋５）を共有する。
【００９２】
第１スキャナ回路ＳＣＡＬおよび第２スキャナ回路ＳＣＢＬのそれぞれは、複数のシフト段が直列接続されたシフトレジスタを有しており、それぞれのシフトレジスタには、図４に示した制御装置３からシフトクロック信号ＣＫ−ＡＬ、ＣＫ−ＢＬおよびスタート信号ＳＴ−ＡＬ、ＳＴ−ＢＬが供給される。
【００９３】
図１０（Ａ）および（Ｂ）は、実施の形態１に係わる第１スキャナ回路ＳＣＡＬおよび第２スキャナ回路ＳＣＢＬの構成を概略的に示すブロック図である。図１０（Ａ）は、第１スキャナ回路ＳＣＡＬの構成を示し、図１０（Ｂ）は、第２スキャナ回路ＳＣＢＬの構成を示している。第１スキャナ回路ＳＣＡＬおよび第２スキャナ回路ＳＣＢＬのそれぞれは、特に制限されないが、表示領域２に配置された駆動電極ＴＬ（０）〜ＴＬ（ｐ）のそれぞれに対応したシフト段を備えており、これらのシフト段が、直列的に接続されることによって、シフトレジスタが構成されている。図１０（Ａ）および（Ｂ）には、図９に示した駆動電極ＴＬ（ｎ）〜ＴＬ（ｎ＋５）に対応するシフト段ＦＡＬ（ｎ）〜ＦＡＬ（ｎ＋５）、ＦＢＬ（ｎ）〜ＦＢＬ（ｎ＋５）のみが示されている。
【００９４】
シフト段ＦＡＬ（ｎ）〜ＦＡＬ（ｎ＋５）のそれぞれは、クロック端子ＣＫ、データ入力端子Ｄおよびデータ出力端子Ｑを備えており、クロック端子ＣＫに供給されているシフトクロック信号ＣＫ−ＡＬの変化に同期して、データ入力端子Ｄに供給されているデータ（情報）を取り込み、データ出力端子Ｑから出力する。シフト段ＦＡＬ（ｎ）のデータ出力端子Ｑは、次段のシフト段ＦＡＬ（ｎ＋１）のデータ入力端子Ｄに接続され、シフト段ＦＡＬ（ｎ＋１）のデータ出力端子Ｑは、次段のシフト段ＦＡＬ（ｎ＋２）のデータ入力端子Ｄに接続されている。以降、シフト段のデータ出力端子Ｑが、次段のシフト段のデータ入力端子Ｄに接続されることにより、シフト段が直列的に接続されている。シフト段ＦＡＬ（ｎ）〜ＦＡＬ（ｎ＋５）のそれぞれのクロック端子ＣＫには、シフトクロック信号ＣＫ−ＡＬが供給される。また、図１０（Ａ）において、初段となるシフト段ＦＡＬ（ｎ）のデータ入力端子Ｄには、スタート信号ＳＴ−ＡＬが供給される。
【００９５】
磁界タッチ検出および電界タッチ検出の際には、駆動電極の選択を示す選択情報が、スタート信号ＳＴ−ＡＬとして、シフト段ＦＡＬ（ｎ）に供給される。また、磁界タッチ検出および電界タッチ検出の際には、シフトクロック信号ＣＫ−ＡＬが周期的に変化する。これにより、例えばシフト段ＦＡＬ（ｎ）に選択情報であるスタート信号ＳＴ−ＡＬが取り込まれ、シフトクロック信号ＣＫ−ＡＬが変化するたびに、選択情報であるスタート信号ＳＴ−ＡＬは、シフト段ＦＡＬ（ｎ）からシフト段ＦＡＬ（ｎ＋５）へ向かって順次移動することになる。この実施の形態１においては、特に制限されないが、選択を示す選択情報は、ハイレベルである。そのため、ハイレベルが、シフト段ＦＡＬ（ｎ）からシフト段ＦＡＬ（ｎ＋５）へ向かって移動することになる。
【００９６】
シフト段ＦＡＬ（ｎ）〜ＦＡＬ（ｎ＋５）のデータ出力端子Ｑから出力される信号が、第１スキャナ回路ＳＣＡＬから出力される第１選択信号となる。シフト段ＦＡＬ（ｎ）〜ＦＡＬ（ｎ＋５）のそれぞれが、駆動電極ＴＬ（ｎ）〜ＴＬ（ｎ＋５）に１対１で対応しているため、シフト段ＦＡＬ（ｎ）のデータ出力端子Ｑから出力される信号が、第１選択信号ＡＬ（ｎ）となる。同様に、シフト段ＦＡＬ（ｎ＋１）〜ＦＡＬ（ｎ＋５）のデータ出力端子Ｑから出力される信号が、第１選択信号ＡＬ（ｎ＋１）〜ＡＬ（ｎ＋５）となる。そのため、磁界タッチ検出および電界タッチ検出の際には、第１選択信号ＡＬ（ｎ）からＡＬ（ｎ＋５）に向かって、第１選択信号は、順次ハイレベルとなる。
【００９７】
第１スキャナ回路ＳＣＡＬを構成するシフト段ＦＡＬ（ｎ）〜ＦＡＬ（ｎ＋５）を例にして説明したが、第２スキャナ回路ＳＣＢＬを構成するシフト段ＦＢＬ（ｎ）〜ＦＢＬ（ｎ＋５）も同様である。シフト段ＦＢＬ（ｎ）〜ＦＢＬ（ｎ＋５）には、シフトクロック信号として、ＣＫ−ＢＬが供給され、スタート信号として、ＳＴ−ＢＬが供給される。選択を示すハイレベルのスタート信号ＳＴ−ＢＬは、シフトクロック信号ＣＫ−ＢＬの変化に同期して、シフト段ＦＢＬ（ｎ）からＦＢＬ（ｎ＋５）へ向かって移動し、第２選択信号ＢＬ（ｎ）〜ＢＬ（ｎ＋５）として、出力される。
【００９８】
選択回路ＳＥＬＬを構成する単位選択回路ＳＥＬ（ｎ）〜ＳＥＬ（ｎ＋５）は、磁界タッチ検出および電界タッチ検出の際、対応する第１選択信号ＡＬ（ｎ）〜ＡＬ（ｎ＋５）または対応する第２選択信号ＢＬ（ｎ）〜ＢＬ（ｎ＋５）が、駆動電極の選択を示しているとき、検出タイミング信号ＣＯＭＳＥＬに従って、対応する単位駆動回路ＵＳＬ内の第１スイッチＳ０１、第２スイッチＳ００を、オン状態とするような第１単位選択信号ＳＥＬＨ＿Ｌ（ｎ）〜ＳＥＬＨ＿Ｌ（ｎ＋５）および第２単位選択信号ＳＥＬＧ＿Ｌ（ｎ）〜ＳＥＬＧ＿Ｌ（ｎ＋５）を形成する。
【００９９】
第１スキャナ回路対ＳＣＬおよび第１選択駆動回路ＳＤＬを例にして説明したが、第２スキャナ回路対ＳＣＲおよび第２選択駆動回路ＳＤＲも、同様の回路構成になっている。そのため、第２スキャナ回路対ＳＣＲおよび第２選択駆動回路ＳＤＲについては、簡単に説明する。
【０１００】
図１１（Ａ）および（Ｂ）は、実施の形態１に係わる第３スキャナ回路ＳＣＡＲおよび第４スキャナ回路ＳＣＢＲの構成を概略的に示すブロック図である。第２スキャナ回路対ＳＣＲも、一対の第３スキャナ回路ＳＣＡＲおよび第４スキャナ回路ＳＣＢＲを備えており、それぞれの第３スキャナ回路ＳＣＡＲおよび第４スキャナ回路ＳＣＢＲは、図１１（Ａ）および（Ｂ）に示すように、複数のシフト段ＦＡＲ（ｎ）〜ＦＡＲ（ｎ＋５）、ＦＢＲ（ｎ）〜ＦＢＲ（ｎ＋５）を有するシフトレジスタを備えている。第３スキャナ回路ＳＣＡＲのシフトレジスタには、ハイレベルのスタート信号ＳＴ−ＡＲが供給され、シフトクロック信号ＣＫ−ＡＲの変化に同期して、順次移動する。また、第４スキャナ回路ＳＣＢＲのシフトレジスタにも、ハイレベルのスタート信号ＳＴ−ＢＲが供給され、シフトクロック信号ＣＫ−ＢＲの変化に同期して、順次移動する。ここで、ハイレベルのスタート信号ＳＴ−ＡＲ、ＳＴ−ＢＲの移動する方向は、スタート信号ＳＴ−ＡＬ、ＳＴ−ＢＬの移動する方向と同じである。また、シフトクロック信号ＣＫ−ＡＲ、ＣＫ−ＢＲは、シフトクロック信号ＣＫ−ＡＬ、ＣＫ−ＢＬと同じ周期のクロック信号である。
【０１０１】
第３スキャナ回路ＳＣＡＲからは、第１スキャナ回路ＳＣＡＬと同様に、それぞれの駆動電極ＴＬ（ｎ）〜ＴＬ（ｎ＋５）に対応した第３選択信号ＡＲ（ｎ）〜ＡＲ（ｎ＋５）が出力され、第４スキャナ回路ＳＣＢＲからは、第２スキャナ回路ＳＣＢＬと同様に、それぞれの駆動電極ＴＬ（ｎ）〜ＴＬ（ｎ＋５）に対応した第４選択信号ＢＲ（ｎ）〜ＢＲ（ｎ＋５）が出力される。
【０１０２】
選択回路ＳＥＬＲは、駆動電極ＴＬ（ｎ）〜ＴＬ（ｎ＋５）に対応した単位選択回路ＳＥＲ（ｎ）〜ＳＥＲ（ｎ＋５）を備えている。単位選択回路ＳＥＲ（ｎ）〜ＳＥＲ（ｎ＋５）は、対応する第３選択信号ＡＲ（ｎ）〜ＡＲ（ｎ＋５）、第４選択信号ＢＲ（ｎ）〜ＢＲ（ｎ＋５）、および検出タイミング信号ＣＯＭＳＥＬを受け、第３単位選択信号ＳＥＬＨ＿Ｒ（ｎ）〜ＳＥＬＨ＿Ｒ（ｎ＋５）と第４単位選択信号ＳＥＬＧ＿Ｒ（ｎ）〜ＳＥＬＧ＿Ｒ（ｎ＋５）を形成する。
【０１０３】
表示領域２の辺２−Ｒに沿って配置された駆動回路ＤＲＶＲは、複数の単位駆動回路ＵＳＲを備えている。単位駆動回路ＵＳＲは、対応する駆動電極ＴＬ（ｎ）〜ＴＬ（ｎ＋５）のそれぞれの第２端部ｎ２と信号配線ＴＰＨとの間に接続された第１スイッチＳ０１と第２端部ｎ２と信号配線ＴＰＬとの間に接続された第２スイッチＳ００とを備えている。単位駆動回路ＵＳＲ内の第１スイッチＳ０１は、対応する単位選択回路ＳＥＲ（ｎ）〜ＳＥＲ（ｎ＋５）からの第３単位選択信号ＳＥＬＨ＿Ｒ（ｎ）〜ＳＥＬＨ＿Ｒ（ｎ＋５）によってスイッチ制御され、第２スイッチＳ００は、対応する単位選択回路ＳＥＲ（ｎ）〜ＳＥＲ（ｎ＋５）からの第４単位選択信号ＳＥＬＧ＿Ｒ（ｎ）〜ＳＥＬＧ＿Ｒ（ｎ＋５）によってスイッチ制御される。
【０１０４】
選択回路ＳＥＬＬと同様に、選択回路ＳＥＬＲを構成する単位選択回路ＳＥＲ（ｎ）〜ＳＥＲ（ｎ＋５）は、磁界タッチ検出および電界タッチ検出の際、対応する第３選択信号または対応する第４選択信号が、駆動電極の選択を示しているとき、検出タイミング信号ＣＯＭＳＥＬに従って、対応する単位駆動回路ＵＳＲ内の第１スイッチＳ０１および第２スイッチＳ００を、オン状態とするような第３単位選択信号ＳＥＬＨ＿Ｒ（ｎ）〜ＳＥＬＨ＿Ｒ（ｎ＋５）および第４単位選択信号ＳＥＬＧ＿Ｒ（ｎ）〜ＳＥＬＧ＿Ｒ（ｎ＋５）を形成する。
【０１０５】
磁界タッチ検出の際、信号配線ＴＰＨには、磁界駆動信号である駆動信号ＴＰＨが供給される。駆動信号ＴＰＨは、例えば第１駆動電圧と、第１駆動電圧より電圧値の小さな第２駆動電圧との間で変動する交流電圧である。信号配線ＴＰＬには駆動信号ＴＰＬとして第２駆動電圧が供給される。第２駆動電圧は例えば接地電圧Ｖｓであり、第１駆動電圧は電圧Ｖｄである。
【０１０６】
＜第１選択駆動回路および第２選択駆動回路の構成＞
次に、実施の形態１における第１選択駆動回路ＳＤＬおよび第２選択駆動回路ＳＤＲの構成と動作の詳細について説明する。
【０１０７】
第１選択駆動回路ＳＤＬは、選択回路ＳＥＬＬ、駆動回路ＤＲＶＬ、複数の単位駆動回路ＵＳＬとを含む。同様に、第２選択駆動回路ＳＤＲは、選択回路ＳＥＬＲ、駆動回路ＤＲＶＲ、複数の単位駆動回路ＵＳＲとを含む。この実施の形態においては、第１選択駆動回路ＳＤＬと第２選択駆動回路ＳＤＲの回路構成および動作は全く同一になっている。
【０１０８】
選択回路ＳＥＬＬは、駆動電極ＴＬ（０）〜ＴＬ（ｐ）に対応した複数の単位選択回路ＳＥＬ（０）〜ＳＥＬ（ｐ）を備えており、駆動回路ＤＲＶＬも、駆動電極に対応した複数の単位駆動回路ＵＳＬを備えている。単位選択回路ＳＥＬ（０）〜ＳＥＬ（ｐ）は、互いに同じ構成を有し、単位駆動回路ＵＳＬも互いに同じ構成を有している。第２選択駆動回路ＳＤＲを構成する選択回路ＳＥＬＲ、駆動回路ＤＲＶＲも同様である。
【０１０９】
そのため、ここでは、駆動電極ＴＬ（ｎ）に対応した単位選択回路ＳＥＬ（ｎ）および単位駆動回路ＵＳＬを例にして、第１選択駆動回路ＳＤＬを説明する。
【０１１０】
図１２（Ａ）に第１選択駆動回路ＳＤＬを構成する単位選択回路ＳＥＬ（ｎ）および単位駆動回路ＵＳＬを示す。
【０１１１】
単位選択回路ＳＥＬ（ｎ）は、Ｎ型電界効果トランジスタ（以下、Ｎトランジスタとも称する）Ｎ１Ｌ〜Ｎ６Ｌと、Ｐ型電界効果トランジスタ（以下、Ｐトランジスタとも称する）Ｐ１Ｌ〜Ｐ６Ｌと、インバータ回路ＩＶ１Ｌ〜ＩＶ５Ｌを備えている。本明細書においては、Ｐトランジスタは、ゲートに○印を付して、Ｎトランジスタと区別するように描かれている。
【０１１２】
ＮトランジスタＮ１ＬとＰトランジスタＰ１Ｌは、それぞれのソース・ドレイン経路が並列的に接続されるように、それぞれのソースとドレインが接続されている。また、ＮトランジスタＮ１Ｌのゲートには、第１選択信号ＡＬ（ｎ）が供給され、ＰトランジスタＰ１Ｌのゲートには、第１選択信号ＡＬ（ｎ）をインバータ回路ＩＶ１Ｌで反転した第１反転選択信号ＸＡＬ（ｎ）が供給されている。これにより、ＮトランジスタＮ１ＬとＰトランジスタＰ１Ｌによって、第１選択信号ＡＬ（ｎ）によりスイッチ制御される第１転送スイッチＴＰ１Ｌが構成されている。
【０１１３】
また、ＮトランジスタＮ２ＬとＰトランジスタＰ２Ｌは、それぞれのソース・ドレイン経路が並列的に接続され、ＮトランジスタＮ２Ｌのゲートには、第２選択信号ＢＬ（ｎ）が供給され、ＰトランジスタＰ２Ｌのゲートには、第２選択信号ＢＬ（ｎ）をインバータ回路ＩＶ２Ｌで反転した第２反転選択信号ＸＢＬ（ｎ）が供給されている。これにより、ＮトランジスタＮ２ＬとＰトランジスタＰ２Ｌとによって、第２選択信号ＢＬ（ｎ）によりスイッチ制御される第２転送スイッチＴＰ２Ｌが構成されている。
【０１１４】
第１転送スイッチＴＰ１Ｌと第２転送スイッチＴＰ２Ｌのそれぞれの一方の端子には、検出タイミング信号ＣＯＭＳＥＬが供給されている。また、第１転送スイッチＴＰ１Ｌの他方の端子は、インバータ回路ＩＶ４Ｌの入力に接続され、第２転送スイッチＴＰ２Ｌの他方の端子は、インバータ回路ＩＶ５Ｌの入力に接続されている。
【０１１５】
インバータ回路ＩＶ４Ｌの出力は、第１単位選択信号ＳＥＬＨ＿Ｌ（ｎ）として、対応する単位駆動回路ＵＳＬに供給され、インバータ回路ＩＶ５Ｌの出力は、第２単位選択信号ＳＥＬＧ＿Ｌ（ｎ）として単位駆動回路ＵＳＬに供給される。単位駆動回路ＵＳＬは、駆動電極ＴＬ（ｎ）の第１端部ｎ１と信号配線ＴＰＨとの間に接続されたＰトランジスタＰ５Ｌと、駆動電極ＴＬ（ｎ）の第１端部ｎ１と信号配線ＴＰＬとの間に接続されたＰトランジスタＰ６Ｌとを備えている。このＰトランジスタＰ５Ｌが、図９に示した第１スイッチＳ０１に相当し、ＰトランジスタＰ６Ｌが、図９に示した第２スイッチＳ００に相当する。ＰトランジスタＰ５Ｌは、そのゲートに、インバータ回路ＩＶ４Ｌから第１単位選択信号ＳＥＬＨ＿Ｌ（ｎ）が供給され、この第１単位選択信号ＳＥＬＨ＿Ｌ（ｎ）によってスイッチ制御される。また、ＰトランジスタＰ６Ｌは、そのゲートに、インバータ回路ＩＶ５Ｌから第２単位選択信号ＳＥＬＧ＿Ｌ（ｎ）が供給され、この第２単位選択信号ＳＥＬＧ＿Ｌ（ｎ）によってスイッチ制御される。
【０１１６】
以降、磁界タッチ検出期間において、第１スキャナ回路ＳＣＡＬと第２スキャナ回路ＳＣＢＬからの選択信号が単位選択回路ＳＥＬ（ｎ）に出力された時の動作について述べる。
【０１１７】
なお、上述したように、第１スキャナ回路ＳＣＡＬと第２スキャナ回路ＳＣＢＬとは、それぞれの駆動電極において、単位選択回路ＳＥＬおよび単位駆動回路ＵＳＬを共有しているから、第１スキャナ回路ＳＣＡＬと第２スキャナ回路ＳＣＢＬとは同一の駆動電極の第１端部ｎ１を同時に選択しない。すなわち、駆動電極ＴＬ（ｎ）を例にすると、第１スキャナ回路ＳＣＡＬと第２スキャナ回路ＳＣＢＬのどちらかが駆動電極ＴＬ（ｎ）を選択するか、どちらも選択しないかの３通りとなる。
【０１１８】
＜第１スキャナ回路ＳＣＡＬおよび第２スキャナ回路ＳＣＢＬが非選択の時＞
第１スキャナ回路ＳＣＡＬも第２スキャナ回路ＳＣＢＬも第１駆動電極ＴＬ（ｎ）を選択しないとき、単位選択回路ＳＥＬ（ｎ）に供給される第１選択信号ＡＬ（ｎ）、および第２選択信号ＢＬ（ｎ）が駆動電極の選択を示さないロウレベルとなる。第１選択信号ＡＬ（ｎ）がロウレベルの時、ＮトランジスタＮ１Ｌ，ＮトランジスタＮ６Ｌはオフ状態となる。
【０１１９】
ＮトランジスタＮ５Ｌは、そのソース・ドレイン経路が、インバータ回路ＩＶ４Ｌの入力と所定の電圧ＶＧＬＯとの間に接続されている。ＮトランジスタＮ５Ｌのゲートにロウレベルの位相反転であるハイレベルの第１反転選択信号ＸＡＬ（ｎ）が供給されるとＮトランジスタＮ５Ｌがオン状態となり、インバータ回路ＩＶ４Ｌの入力には、所定の電圧ＶＧＬＯが供給されることになる。この所定の電圧ＶＧＬＯは、例えばロウレベルに相当する接地電圧である。そのため、駆動電極ＴＬ（ｎ）が非選択のとき、インバータ回路ＩＶ４Ｌからハイレベルの第１単位選択信号ＳＥＬＨ＿Ｌ（ｎ）が、ＰトランジスタＰ５Ｌに供給されることになり、ＰトランジスタＰ５Ｌはオフ状態となる。
【０１２０】
ＮトランジスタＮ３ＬとＰトランジスタＰ３Ｌは、それぞれのソース・ドレイン経路が並列的に接続され、ＮトランジスタＮ３Ｌのゲートには、第１反転選択信号ＸＡＬ（ｎ）が供給され、ＰトランジスタＰ３Ｌのゲートには、第１選択信号ＡＬ（ｎ）が供給されている。これにより、ＮトランジスタＮ３ＬとＰトランジスタＰ３Ｌとによって、第１反転選択信号ＸＡＬ（ｎ）によりスイッチ制御される第３転送スイッチＴＰ３Ｌが構成されている。また、ＮトランジスタＮ４ＬとＰトランジスタＰ４Ｌは、それぞれのソース・ドレイン経路が並列的に接続され、ＮトランジスタＮ４Ｌのゲートには、第２反転選択信号ＸＢＬ（ｎ）が供給され、ＰトランジスタＰ４Ｌのゲートには、第２選択信号ＢＬ（ｎ）が供給されている。これにより、ＮトランジスタＮ４ＬとＰトランジスタＰ４Ｌとによって、第２反転選択信号ＸＢＬ（ｎ）によりスイッチ制御される第４転送スイッチＴＰ４Ｌが構成されている。
【０１２１】
第３転送スイッチＴＰ３Ｌと第４転送スイッチＴＰ４Ｌは直列接続され、制御信号ＣＯＭＦＬが、直列接続された第３転送スイッチＴＰ３Ｌと第４転送スイッチＴＰ４Ｌを介して、インバータ回路ＩＶ３Ｌの入力に供給されている。このインバータ回路ＩＶ３Ｌの出力は、インバータ回路ＩＶ５Ｌの入力に接続されている。第１選択信号ＡＬ（ｎ）および第２選択信号ＢＬ（ｎ）がロウレベルのとき、第１反転選択信号ＸＡＬ（ｎ）および第２反転選択信号ＸＢＬ（ｎ）がハイレベルとなるので、第３転送スイッチＴＰ３Ｌおよび第４転送スイッチＴＰ４Ｌが、ともにオン状態となる。このときインバータ回路ＩＶ５Ｌにインバータ回路ＩＶ３Ｌを介して、制御信号ＣＯＭＦＬの位相反転信号が供給されることになる。後述するが、制御信号ＣＯＭＦＬは磁界タッチ検出期間の磁界発生期間においてハイレベルとなる信号であるため、第２単位選択信号ＳＥＬＧ＿Ｌ（ｎ）はハイレベルとなり、ＰトランジスタＰ６Ｌはオフとなる。
【０１２２】
これにより、第１スキャナ回路ＳＣＡＬも第２スキャナ回路ＳＣＢＬも駆動電極ＴＬ（ｎ）を選択しないとき、駆動電極ＴＬ（ｎ）の第１端部ｎ１は信号配線ＴＰＨにも信号配線ＴＰＬにも接続されない。
【０１２３】
＜第１スキャナ回路ＳＣＡＬが駆動電極ＴＬ（ｎ）を選択する時＞
第１スキャナ回路ＳＣＡＬが駆動電極ＴＬ（ｎ）を選択する時、第２スキャナ回路ＳＣＢＬは駆動電極ＴＬ（ｎ）を選択しないので、第１選択信号ＡＬ（ｎ）がハイレベルとなり、第２選択信号ＢＬ（ｎ）がロウレベルとなる。
【０１２４】
第１選択信号ＡＬ（ｎ）が、ハイレベルとなった場合、第１転送スイッチＴＰ１Ｌがオン状態となる。これにより、ＰトランジスタＰ５Ｌのゲートには、インバータ回路ＩＶ４Ｌから、位相反転された検出タイミング信号ＣＯＭＳＥＬが、第１単位選択信号ＳＥＬＨ＿Ｌ（ｎ）として供給されることになる。
【０１２５】
磁界発生期間において、検出タイミング信号ＣＯＭＳＥＬはハイレベルを示すので、ロウレベルの第１単位選択信号ＳＥＬＨ＿Ｌ（ｎ）により、Ｐトランジスタ５Ｌのゲートがオンとなり、駆動電極ＴＬ（ｎ）の第１端部ｎ１が信号配線ＴＰＨに接続される。
【０１２６】
また、第１選択信号ＡＬ（ｎ）がハイレベルとなった時、ＮトランジスタＮ６Ｌがオン状態となり、インバータ回路ＩＶ５Ｌの入力には、所定の電圧ＶＧＬＯが供給されることになる。この所定の電圧ＶＧＬＯは、例えばロウレベルに相当する接地電圧である。そのため、インバータ回路ＩＶ５Ｌからハイレベルの第２単位選択信号ＳＥＬＧ＿Ｌ（ｎ）が、ＰトランジスタＰ６Ｌに供給されることになり、ＰトランジスタＰ６Ｌはオフ状態となる。
【０１２７】
第２選択信号ＢＬ（ｎ）はロウレベルであるので、第２転送スイッチＴＰ２Ｌはオフ状態となり、第３転送スイッチＴＰ３Ｌもオフ状態となり動作しない。すなわち、第１スキャナ回路ＳＣＡＬが駆動電極ＴＬ（ｎ）を選択する時、駆動電極ＴＬ（ｎ）の第１端部ｎ１には信号配線ＴＰＨが接続され、第１駆動電圧と第２駆動電圧との間で変動する駆動信号ＴＰＨが供給される。
【０１２８】
＜第２スキャナ回路ＳＣＢＬが駆動電極ＴＬ（ｎ）を選択する時＞
第２スキャナ回路ＳＣＢＬが駆動電極ＴＬ（ｎ）を選択する時、第１スキャナ回路ＳＣＡＬは駆動電極ＴＬ（ｎ）を選択しないので、第２選択信号ＢＬ（ｎ）がハイレベルとなり、第１選択信号ＡＬ（ｎ）がロウレベルとなる。
【０１２９】
第２選択信号ＢＬ（ｎ）が、ハイレベルとなった場合には、第２転送スイッチＴＰ２Ｌがオン状態となる。その結果、ＰトランジスタＰ６Ｌのゲートには、インバータ回路ＩＶ５Ｌから、位相反転された検出タイミング信号ＣＯＭＳＥＬが、第２単位選択信号ＳＥＬＧ＿Ｌ（ｎ）として供給されることになる。
【０１３０】
検出タイミング信号ＣＯＭＳＥＬはハイレベルであるので、ロウレベルの第２単位選択信号ＳＥＬＧ＿Ｌ（ｎ）により、ＰトランジスタＰ６Ｌのゲートがオンとなり、駆動電極ＴＬ（ｎ）の第１端部ｎ１が信号配線ＴＰＬに接続される。
【０１３１】
この時、第１選択信号ＡＬ（ｎ）はロウレベルとなるから、ＮトランジスタＮ５Ｌを介してロウレベルの接地電圧ＶＧＬＯの位相反転であるハイレベルがインバータ回路ＩＶ４ＬからＰトランジスタＰ５Ｌに供給され、Ｐ５Ｌはオフとなる。すなわち、第２スキャナ回路ＳＣＢＬが駆動電極ＴＬ（ｎ）を選択する時、駆動電極ＴＬ（ｎ）の第１端部ｎ１には信号配線ＴＰＬが接続され、第２駆動電圧である駆動信号ＴＰＬが供給される。
【０１３２】
すなわち、駆動電極ＴＬ（ｎ）が第１スキャナ回路ＳＣＡＬに選択されるか、第２スキャナ回路ＳＣＢＬに選択されるか、どちらにも選択されないかによって、駆動電極ＴＬ（ｎ）の第１端部ｎ１に信号配線ＴＰＨが接続されるか、信号配線ＴＰＬが接続されるか、いずれの信号配線にも接続されないかが決定される。
【０１３３】
駆動電極ＴＬ（ｎ）に対応した単位選択回路ＳＥＬ（ｎ）とそれに対応した単位駆動回路ＵＳＬを例にして説明したが、選択回路ＳＥＬＬ内の残りの単位選択回路および駆動回路ＤＲＶＬ内の残りの単位駆動回路も同様である。
【０１３４】
また、単位選択回路ＳＥＬ（ｎ）とそれに対応した単位駆動回路ＵＳＬを例にして説明したが、単位選択回路ＳＥＲ（ｎ）とそれに対応した単位駆動回路ＵＳＲについても、同様の回路構成および動作である。図１２（Ｂ）に第２選択駆動回路ＳＤＲを構成する単位選択回路ＳＥＲ（ｎ）および単位駆動回路ＵＳＲを示す。
【０１３５】
単位選択回路ＳＥＲ（ｎ）は、図１２（Ａ）に示した単位選択回路ＳＥＬ（ｎ）と同じ構成を有し、単位駆動回路ＵＳＲは、図１２（Ａ）に示した単位駆動回路ＵＳＬと同じ構成を有している。また、単位選択回路ＳＥＲ（ｎ）および単位駆動回路ＵＳＲの動作は、単位選択回路ＳＥＬ（ｎ）および単位駆動回路ＵＳＬと同じである。そのため、ここでは、単位選択回路ＳＥＬ（ｎ）および単位駆動回路ＵＳＬとの対応関係のみを述べて、構成と動作の詳しい説明は省略する。
【０１３６】
単位選択回路ＳＥＲ（ｎ）は、ＮトランジスタＮ１Ｒ〜Ｎ６Ｒと、ＰトランジスタＰ１Ｒ〜Ｐ６Ｒと、インバータ回路ＩＶ１Ｒ〜ＩＶ５Ｒを備えている。ここで、ＮトランジスタＮ１Ｒ〜Ｎ６Ｒは、図１２（Ａ）で説明したＮトランジスタＮ１Ｌ〜Ｎ６Ｌに対応し、ＰトランジスタＰ１Ｒ〜Ｐ６Ｒは、図１２（Ａ）で説明したＰトランジスタＰ１Ｌ〜Ｐ６Ｌに対応し、インバータ回路ＩＶ１Ｒ〜ＩＶ５Ｒは、図１２（Ａ）で説明したインバータ回路ＩＶ１Ｌ〜ＩＶ５Ｌに対応する。また、ＴＰ１Ｒ〜ＴＰ４Ｒは、第１〜第４転送スイッチであり、図１２（Ａ）で説明した第１〜第４転送スイッチＴＰ１Ｌ〜ＴＰ４Ｌに対応している。また、単位駆動回路ＵＳＲは、図１２（Ａ）で説明したＰトランジスタＰ５ＬおよびＰ６Ｌに対応するＰトランジスタＰ５ＲおよびＰ６Ｒを備えている。
【０１３７】
単位選択回路ＳＥＲ（ｎ）には、表示領域２の辺２−Ｒに沿って配置された第２スキャナ回路対ＳＣＲ内の第３スキャナ回路ＳＣＡＲから第３選択信号ＡＲ（ｎ）が供給され、さらに第２スキャナ回路対ＳＣＲ内の第４スキャナ回路ＳＣＢＲから第４選択信号ＢＲ（ｎ）が供給される。また、単位選択回路ＳＥＲ（ｎ）には、検出タイミング信号ＣＯＭＳＥＬ、制御信号ＣＯＭＦＬおよび所定の電圧ＶＧＬＯが供給され、図１２（Ａ）で説明した単位選択回路ＳＥＬ（ｎ）と同様にして、第３単位選択信号ＳＥＬＨ＿Ｒ（ｎ）と第４単位選択信号ＳＥＬＧ＿Ｒ（ｎ）を形成する。
【０１３８】
単位選択回路ＳＥＲ（ｎ）と単位駆動回路ＵＳＲは、単位選択回路ＳＥＬ（ｎ）、単位駆動回路ＵＳＬと同一の回路構成であり、同様に動作する。
【０１３９】
従って第３スキャナ回路ＳＣＡＲが駆動電極ＴＬ(ｎ)の第２端部ｎ２を選択する時、すなわち第３選択信号ＡＲ（ｎ）がハイレベルの時、ロウレベルの第３単位選択信号ＳＥＬＨ＿Ｒ（ｎ）により単位駆動回路ＵＳＲ内のPトランジスタＰ５Ｒがオン状態となり、端部ｎ２が信号配線ＴＰＨに接続される。
【０１４０】
第４スキャナ回路ＳＣＢＲが駆動電極ＴＬ（ｎ）を選択する時、すなわち第４選択信号ＢＲ（ｎ）がハイレベルの時、ロウレベルの第４単位選択信号ＳＥＬＧ＿Ｒ（ｎ）により単位駆動回路ＵＳＲ内のＰトランジスタＰ６Ｒがオン状態となり、駆動電極ＴＬ（ｎ）の第２端部ｎ２が信号配線ＴＰＬに接続される。
【０１４１】
また、第３スキャナ回路ＳＣＡＲも第４スキャナ回路ＳＣＢＲも駆動電極ＴＬ（ｎ）を選択しないとき、第３単位選択信号ＳＥＬＨ＿Ｒ（ｎ）も第４単位選択信号ＳＥＬＧ＿Ｒ（ｎ）もハイレベルとなり、端部ｎ２は信号配線ＴＰＨおよびＴＰＬから切り離される。
【０１４２】
＜磁界タッチ検出の基本動作＞
以上説明したように、実施の形態１に係る表示装置１は、選択する駆動電極ＴＬの第１端部ｎ１を選択する第１スキャナ回路ＳＣＡＬと、第２スキャナ回路ＳＣＢＬとを備える。また選択する駆動電極の第２端部ｎ２を選択する第３スキャナ回路ＳＣＡＲおよび第４スキャナ回路ＳＣＢＲとを備える。
【０１４３】
図６で説明したように、磁界タッチ検出においては、離間して配置された第１駆動電極の端部ｎ１、ｎ２と第２駆動電極の端部ｎ１、ｎ２を同時に選択する必要があるので、制御装置３は、第１スキャナ回路ＳＣＡＬと第２スキャナ回路ＳＣＢＬとが第１駆動電極および第２駆動電極の端部ｎ１をそれぞれ選択し、第３スキャナ回路ＳＣＡＲと第４スキャナ回路ＳＣＢＲとが第１駆動電極および第２駆動電極の端部ｎ２をそれぞれ選択するように制御する。
【０１４４】
すなわち、第１スキャナ回路ＳＣＡＬと第２スキャナ回路ＳＣＢＬとはタイミングをずらして離間した２つの駆動電極を同時に選択し、第３スキャナ回路ＳＣＡＲと第４スキャナ回路ＳＣＢＲともタイミングをずらして離間した２つの駆動電極を同時に選択する。この時、それぞれのスキャナ回路は離間量と、第１駆動電極および第２駆動電極のそれぞれに含まれる駆動電極の本数に応じた数、駆動電極を選択するタイミングがずれる。
【０１４５】
また、１つの駆動電極の両端部に異なる駆動電圧を供給するために、両端部を同時に異なる信号配線ＴＰＨと信号配線ＴＰＬに接続する必要がある。すなわち、例えば、第１駆動電極の端部ｎ１を第１スキャナ回路ＳＣＡＬが選択する場合、端部ｎ１は信号配線ＴＰＨに接続されるので、端部ｎ２は信号配線ＴＰＬに接続することができる第４スキャナ回路ＳＣＢＲから選択する必要がある。
【０１４６】
この時、第２駆動電極は第２スキャナ回路ＳＣＢＬと第３スキャナ回路ＳＣＡＲに同時に選択され、両端部が異なる信号配線に接続されるようになっている。またこの時、第１駆動電極と第２駆動電極に流れる電流の向きは互いに反対の向きになるようになっている。このためには、第１スキャナ回路ＳＣＡＬと第２スキャナ回路ＳＣＢＬとのタイミングのずらし方と第３スキャナ回路ＳＣＡＲと第４スキャナ回路ＳＣＢＲとのタイミングのずらし方を逆にする必要がある。
【０１４７】
以下に、このような動作概要について説明する。図４、図９〜図１２を用いて、実施の形態１に係るスキャナ回路のタイミング制御の動作概要について説明する。
【０１４８】
図９では、第１駆動電極ＴＬ（ｎ＋３）と第２駆動電極ＴＬ（ｎ＋１）とが、駆動電極ＴＬ（ｎ＋２）を挟んで離間して配置され、同時に選択されて駆動されている。
【０１４９】
第１駆動電極ＴＬ（ｎ＋３）の第１端部ｎ１は第１スキャナ回路ＳＣＡＬからの第１選択信号ＡＬ（ｎ＋３）により信号配線ＴＰＨに接続され、第２駆動電極ＴＬ（ｎ＋１）の第１端部ｎ１は第２スキャナ回路ＳＣＢＬからの第２選択信号ＢＬ（ｎ＋１）により信号配線ＴＰＬに接続されている。
【０１５０】
また、第１駆動電極ＴＬ（ｎ＋３）の第２端部ｎ２は第４スキャナ回路ＳＣＢＲからの第４選択信号ＢＲ（ｎ＋３）により信号配線ＴＰＬに接続され、第２駆動電極ＴＬ（ｎ＋１）の第２端部ｎ２は第３スキャナ回路ＳＣＡＲからの第３選択信号ＡＲ（ｎ＋１）により信号配線ＴＰＨに接続されている。
【０１５１】
図９に示される駆動状態の場合、第１駆動電極および第２駆動電極は１本の駆動電極のみからなるため、束レジスタＣ−ＲＥＧに格納される束ね量ｍは１であり、第１駆動電極と第２駆動電極の間に配置される非選択の駆動電極は一本であるため離間量レジスタＳ−ＲＥＧに格納される離間量ｎは１である。
【０１５２】
この時、第１駆動電極ＴＬ（ｎ＋３）は第２駆動電極ＴＬ（ｎ＋１）より束ね量ｍ＋離間量ｎ個分、対応するスキャナ回路のシフト段が先に進むことになるから、制御装置３は第１スキャナ回路ＳＣＡＬおよび第４スキャナ回路ＳＣＢＲが第２スキャナ回路ＳＣＢＬおよび第３スキャナ回路ＳＣＡＲよりｍ＋ｎ個先の駆動電極を選択するように制御する。
【０１５３】
これにより、制御装置３は、シフトクロック信号ＣＫ−ＢＬを変化させる前にシフトクロック信号ＣＫ−ＡＬを２回（ｍ＋ｎ回）、変化させるとともに、最初にシフトクロック信号ＣＫ−ＡＬを１回分（ｎ回分）変化させるときに、スタート信号ＳＴ−ＡＬを、駆動電極の選択を示すハイレベルにし、その後ロウレベルにする。また、制御装置３は、シフトクロック信号ＣＫ−ＡＲを変化させる前に、ｍ＋ｎ（２回）の回数分、シフトクロック信号ＣＫ−ＢＲを変化させる。このときも、シフトクロック信号ＣＫ−ＢＲを、最初に１回（ｎ回）分変化させるとき、スタート信号ＳＴ−ＢＲを、駆動電極の選択を示すハイレベルにし、その後ロウレベルにする。すなわち、シフトクロック信号ＣＫ−ＢＬおよびＣＫ−ＡＲが変化する前に、シフトクロック信号ＣＫ−ＡＬとシフトクロック信号ＣＫ−ＢＲは、同時に、ｍ＋ｎの回数分、変化する。
【０１５４】
また、この時束ね量ｍ（１）個分のハイレベルのスタート信号と、離間量ｎ（１）個分のロウレベルのスタート信号が第１スキャナ回路ＳＣＡＬと第４スキャナ回路ＳＣＢＲのシフトレジスタに格納される。
【０１５５】
制御装置３は、シフトクロック信号ＣＫ−ＡＬおよびＣＫ−ＢＲを、ｍ＋ｎの回数分変化させた後、シフトクロック信号ＣＫ−ＡＬ、ＣＫ−ＢＬ、ＣＫ−ＡＲおよびＣＫ−ＢＲのそれぞれを、周期的に変化させる。シフトクロック信号ＣＫ−ＡＬ、ＣＫ−ＢＬ、ＣＫ−ＡＲおよびＣＫ−ＢＲのそれぞれを周期的に変化させるとき、それぞれのシフトクロック信号の周期が同じになるように、変化させる。また、制御装置３は、シフトクロック信号ＣＫ−ＢＬおよびＣＫ−ＡＲを、最初に変化させるとき、スタート信号ＳＴ−ＢＬおよびＳＴ−ＡＲのそれぞれを、駆動電極の選択を示すハイレベルにする。
【０１５６】
これにより、第１スキャナ回路ＳＣＡＬのシフトレジスタにおいては、第２スキャナ回路ＳＣＢＬのシフトレジスタに比べて、ハイレベルのスタート信号が、２個のシフト段分だけ、先に移動することになる。同様に、第４スキャナ回路ＳＣＢＲのシフトレジスタにおいては、第３スキャナ回路ＳＣＡＲのシフトレジスタに比べて、ハイレベルのスタート信号が、２個のシフト段分だけ、先に移動することになる。
【０１５７】
例えば、図１０（Ｂ）に示した第２スキャナ回路ＳＣＢＬのシフト段ＦＢＬ（ｎ）が、ハイレベルのスタート信号を保持しているとき、図１０（Ａ）に示した第１スキャナ回路ＳＣＡＬでは、シフト段ＦＡＬ（ｎ＋２）が、ハイレベルのスタート信号を保持している状態となる。このとき、図１１（Ａ）に示した第３スキャナ回路ＳＣＡＲにおいては、シフト段ＦＡＲ（ｎ）が、ハイレベルのスタート信号を保持しており、図１１（Ｂ）に示した第４スキャナ回路ＳＣＢＲにおいては、シフト段ＦＢＲ（ｎ＋２）が、ハイレベルのスタート信号を保持している状態となる。
【０１５８】
また、この状態で、シフトクロック信号ＣＫ−ＡＬ、ＣＫ−ＢＬ、ＣＫ−ＡＲおよびＣＫ−ＢＲが変化すると、それぞれのシフトレジスタに格納されているハイレベルのスタート信号は移動し、シフト段ＦＡＬ（ｎ＋３）、ＦＢＬ（ｎ＋１）、ＦＡＲ（ｎ＋１）およびＦＢＲ（ｎ＋３）のそれぞれが、ハイレベルのスタート信号を保持する状態へ変化する。
【０１５９】
この状態へ変化することにより、第１スキャナ回路ＳＣＡＬは、第１選択信号ＡＬ（ｎ＋３）をハイレベルにし、第１選択信号ＡＬ（ｎ）〜ＡＬ（ｎ＋２）およびＡＬ（ｎ＋４）〜ＡＬ（ｎ＋５）をロウレベルにする。同様に、第２スキャナ回路ＳＣＢＬは、第２選択信号ＢＬ（ｎ＋１）をハイレベルにし、第２選択信号ＢＬ（ｎ）およびＢＬ（ｎ＋２）〜ＢＬ（ｎ＋５）をロウレベルにする。また、第３スキャナ回路ＳＣＡＲは、第３選択信号ＡＲ（ｎ＋１）をハイレベルにし、第３選択信号ＡＲ（ｎ）およびＡＲ（ｎ＋２）〜ＡＲ（ｎ＋５）をロウレベルにする。同様に、第４スキャナ回路ＳＣＢＲは、第４選択信号ＢＲ（ｎ＋３）をハイレベルにし、第４選択信号ＢＲ（ｎ）〜ＢＲ（ｎ＋２）およびＢＲ（ｎ＋４）〜ＢＲ（ｎ＋５）をロウレベルにする。
【０１６０】
従って、単位選択回路ＳＥＬ（ｎ＋３）にハイレベルの第１選択信号ＡＬ（ｎ＋３）とロウレベルの第２選択信号ＢＬ（ｎ＋３）が供給される。また、単位選択回路ＳＥＲ（ｎ＋３）にハイレベルの第４選択信号ＢＲ（ｎ＋３）とロウレベルの第３選択信号ＡＲ（ｎ＋３）が供給される。また、単位選択回路ＳＥＬ（ｎ＋１）にハイレベルの第２選択信号ＢＬ（ｎ＋１）とロウレベルの第１選択信号ＡＬ（ｎ＋１）が供給される。また、単位選択回路ＳＥＲ（ｎ＋１）にハイレベルの第３選択信号ＡＲ（ｎ＋１）とロウレベルの第４選択信号ＢＲ（ｎ＋１）が供給される。また、それ以外の単位選択回路ＳＥＬ（ｎ），ＳＥＬ（ｎ＋２），ＳＥＬ（ｎ＋４），ＳＥＬ（ｎ＋５）は全て非選択となりロウレベルの第１〜第４選択信号が供給される。
【０１６１】
この時、図１２で説明した動作に従って、駆動電極ＴＬ（ｎ＋３）の第１端部ｎ１に信号配線ＴＰＨから駆動信号ＴＰＨが供給され、駆動電極ＴＬ（ｎ＋３）の第２端部ｎ２に信号配線ＴＰＬから駆動信号ＴＰＬが供給される。駆動電極ＴＬ（ｎ＋１）の第１端部ｎ１に信号配線ＴＰＬから駆動信号ＴＰＬが供給され、駆動電極ＴＬ（ｎ＋１）の第２端部ｎ２に信号配線ＴＰＨから駆動信号ＴＰＨが供給される。駆動電極ＴＬ（ｎ＋１）と駆動電極ＴＬ（ｎ＋３）以外の非選択の駆動電極は、第１端部ｎ１も第２端部ｎ２も信号配線から分離されたフローティング電位となる。この時、駆動信号ＴＰＨの電圧値が変動して、選択された駆動電極の端部に第１駆動電圧が供給され、磁界が発生する。
【０１６２】
図９では、駆動信号ＴＰＨが第１駆動電極ＴＬ（ｎ＋３）の第１端部ｎ１と第２駆動電極ＴＬ（ｎ＋１）の第２端部ｎ２に第１駆動電圧Ｖｄを供給する駆動状態が示される。
【０１６３】
実施の形態１の表示装置１は、第１駆動電極と第２駆動電極に流れる電流の向きが反対となっていればよいので、図９で示した駆動状態と逆の駆動状態となるように電流を流してもよい。すなわち、第１駆動電極ＴＬ（ｎ＋３）の第１端部ｎ１に信号配線ＴＰＬを接続し、第２端部ＴＬ（ｎ＋１）の第２端部ｎ２に信号配線ＴＰＨを接続してもよい。この時、第２駆動電極に対しては第１端部ｎ１に信号配線ＴＰＨを接続し第２端部ｎ２に信号配線ＴＰＬを接続することになる。
【０１６４】
この時は、第１駆動電極の第１端部ｎ１を第２スキャナ回路ＳＣＢＬが選択し、第２端部ｎ２を第３スキャナ回路ＳＣＡＲが選択するようにし、第２駆動電極の第１端部ｎ１を第１スキャナ回路ＳＣＡＬが選択し、第２端部ｎ２を第４スキャナ回路ＳＣＢＲが選択するように、スキャナ回路のタイミングを調整すればよい。すなわち、第２スキャナ回路ＳＣＢＬと第３スキャナ回路ＳＣＡＲをｍ＋ｎ本先に進めればよい。
【０１６５】
この時は、接地電圧Ｖｓが第１駆動電圧、電圧Ｖｄが第２駆動電圧として読み替えられる。第１駆動電圧と第２駆動電圧は第１駆動電極に電流を流して磁界を発生させるために、電圧値が異なる駆動電圧であればよく、どちらが電圧値が高い電圧であるか、低い電圧であるかを限定するものではない。
【０１６６】
また、本明細書では、対応するシフト段が先に進んでいる駆動電極ＴＬ（ｎ＋３）を第１駆動電極とし、駆動電極ＴＬ（ｎ＋１）を第２駆動電極として説明しているが、駆動電極ＴＬ（ｎ＋３）を第２駆動電極とし、駆動電極ＴＬ（ｎ＋１）を第１駆動電極としてもよい。
【０１６７】
以上で説明したように、実施の形態１の表示装置１は、第１駆動電極の第１端部ｎ１または第２駆動電極の第１端部ｎ１を選択する第１スキャナ回路ＳＣＡＬと、第２スキャナ回路ＳＣＢＬとを備える。また、第１駆動電極の第２端部ｎ２または第２駆動電極の第２端部ｎ２を選択する第３スキャナ回路ＳＣＡＲと、第４スキャナ回路ＳＣＢＲとを備えている。かつ、制御装置３は、第１駆動電極と第２駆動電極に同時に流れる電流が反対の向きとなるように、第１駆動電極の第１端部ｎ１と第２駆動電極の第２端部ｎ２に第１駆動電圧を供給し、第１駆動電極の第２端部ｎ２と第２駆動電極の第１端部ｎ１に第２駆動電圧を供給する。この時、制御装置３は、上述したように、第１スキャナ回路ＳＣＡＬ、第２スキャナ回路ＳＣＢＬ、第３スキャナ回路ＳＣＡＲ、第４スキャナ回路ＳＣＢＲを介して、第１駆動電極と第２駆動電極のそれぞれの端部ｎ１、ｎ２を選択する選択信号を供給する。
【０１６８】
表示装置１は、第１スキャナ回路ＳＣＡＬおよび第２スキャナ回路ＳＣＢＬと、駆動電極の第１端部ｎ１の間に接続される第１選択駆動回路ＳＤＬを有し、第１選択駆動回路ＳＤＬは第１スキャナ回路ＳＣＡＬおよび第２スキャナ回路ＳＣＢＬからの選択信号に応じて選択される第１駆動電極の第１端部ｎ１に第１駆動電圧を供給し、第２駆動電極の第１端部ｎ１に第２駆動電圧を供給する。また表示装置１は、第３スキャナ回路ＳＣＡＲおよび第４スキャナ回路ＳＣＢＲと、駆動電極の第２端部ｎ２の間に接続される第２選択駆動回路ＳＤＲを有し、第２選択駆動回路ＳＤＲは第３スキャナ回路ＳＣＡＲおよび第４スキャナ回路ＳＣＢＲからの選択信号に応じて選択される第１駆動電極の第２端部ｎ２に第２駆動電圧を供給し、第２駆動電極の第２端部ｎ２に第１駆動電圧を供給する。
【０１６９】
第１スキャナ回路ＳＣＡＬと第２スキャナ回路ＳＣＢＬは表示領域２の辺２−Ｌに沿って配置され、互いに重複しないように同時に第１駆動電極の第１端部ｎ１または第２駆動電極の第１端部ｎ１を選択する。第３スキャナ回路ＳＣＡＲと第４スキャナ回路ＳＣＢＲは表示領域２の辺２−Ｒに沿って配置され、互いに重複しないように同時に第１駆動電極の第２端部ｎ２または第２駆動電極の第２端部ｎ２を選択する。
【０１７０】
＜磁界タッチ検出の全体動作＞
次に、波形図を用いて、実施の形態１に係わる表示装置１における磁界タッチ検出の全体動作を説明する。図１３および図１４は、磁界タッチ検出の動作を説明する波形図である。図面が複雑になるのを避けるために、波形図は、図１３および図１４に分けてある。
【０１７１】
図１３には、図４に示した第１スキャナ回路対ＳＣＬ、第２スキャナ回路対ＳＣＲ、第１選択駆動回路ＳＤＬおよび第２選択駆動回路ＳＤＲに共通に供給される制御信号ＣＯＭＦＬ、検出タイミング信号ＣＯＭＳＥＬおよび駆動信号ＴＰＨ、ＴＰＬの波形と、第１スキャナ回路対ＳＣＬに供給されるシフトクロック信号ＣＫ−ＡＬ、ＣＫ−ＢＬおよびスタート信号ＳＴ−ＡＬ、ＳＴ−ＢＬの波形とが示されている。また、図１３には、図９に示した単位選択回路ＳＥＬ（ｎ）〜ＳＥＬ（ｎ＋５）から出力される第１単位選択信号ＳＥＬＨ＿Ｌ（ｎ）〜ＳＥＬＨ＿Ｌ（ｎ＋５）および第２単位選択信号ＳＥＬＧ＿Ｌ（ｎ）〜ＳＥＬＧ＿Ｌ（ｎ＋５）の波形が示されている。
【０１７２】
一方、図１４には、第２スキャナ回路対ＳＣＲに供給されるシフトクロック信号ＣＫ−ＡＲ、ＣＫ−ＢＲおよびスタート信号ＳＴ−ＡＲ、ＳＴ−ＢＲの波形と、図９に示した単位選択回路ＳＥＲ（ｎ）〜ＳＥＲ（ｎ＋５）から出力される第３単位選択信号ＳＥＬＨ＿Ｒ（ｎ）〜ＳＥＬＨ＿Ｒ（ｎ＋５）および第４単位選択信号ＳＥＬＧ＿Ｒ（ｎ）〜ＳＥＬＧ＿Ｒ（ｎ＋５）の波形が示されている。図１４を、図１３の下側に配置することによって、表示装置１の動作を示す波形図が完成する。
【０１７３】
図１３および図１４において、ＤＰは、表示領域２において画像の表示が行われる表示期間を示している。また、ＴＰ（ｎ−１）〜ＴＰ（ｎ＋４）は、磁界検出の期間（以下、磁界タッチ検出期間とも称する）を示している。また、ＴＰ（ｓｓ）は、磁界タッチ検出を開始する開始期間を示している。この実施の形態１においては、磁界タッチ検出期間ＴＰ（ｎ−１）〜ＴＰ（ｎ＋４）のそれぞれは、図２で説明したように、磁界発生期間と磁界検出期間とによって構成されている。図１３では、例として磁界タッチ検出期間ＴＰ（ｎ＋３）を構成する磁界発生期間に符合ＴＰＧが付され、磁界検出期間に符合ＴＰＤが付されている。他の磁界タッチ検出期間についても、同様に磁界発生期間ＴＰＧとそれに続く磁界検出期間ＴＰＤによって、磁界タッチ検出期間は構成されている。
【０１７４】
この実施の形態１においては、特に制限されないが、開始期間ＴＰ（ｓｓ）以降、磁界タッチ検出期間と表示期間ＤＰとが交互に発生するように、制御装置３が制御を行う。また、制御装置３は、１回の磁界タッチ検出期間において、１個の駆動電極の領域で磁界が発生するように制御する。この実施の形態１では、駆動電極ＴＬ（０）の領域から駆動電極ＴＬ（ｐ）の領域に向けて、順次、磁界が発生するように制御している。図１３および図１４に示した磁界タッチ検出期間ＴＰ（ｎ−１）における磁界発生期間では、駆動電極ＴＬ（ｎ−１）の領域において、磁界が発生するように制御する。同様に、磁界タッチ検出期間ＴＰ（ｎ）〜ＴＰ（ｎ＋４）のそれぞれにおける磁界発生期間では、駆動電極ＴＬ（ｎ）〜ＴＬ（ｎ＋４）の領域で磁界が発生するように制御する。
【０１７５】
この実施の形態１においては、制御装置３が、制御信号ＣＯＭＦＬによって、第１スキャナ回路対ＳＣＬおよび第２スキャナ回路対ＳＣＲ等に磁界タッチ検出期間ＴＰと表示期間ＤＰとを識別させる。また、検出タイミング信号ＣＯＭＳＥＬによって、磁界発生期間ＴＰＧを把握させる。すなわち、制御装置３は、磁界タッチ検出期間ＴＰのとき、制御信号ＣＯＭＦＬをハイレベルにし、磁界発生期間ＴＰＧのとき、検出タイミング信号ＣＯＭＳＥＬをハイレベルにする。また、図４に示した検出回路ＤＥＴは、制御信号ＣＯＭＦＬがハイレベルかつ検出タイミング信号ＣＯＭＳＥＬがロウレベルの磁界検出期間ＴＰＤのときに動作する。制御装置３は、制御信号ＣＯＭＦＬと検出タイミング信号ＣＯＭＳＥＬがロウレベルの表示期間ＤＰにおいて、信号線ＳＬ（０）〜ＳＬ（ｐ）に画像信号を供給して表示を行う。
【０１７６】
制御装置３は、それぞれの磁界発生期間ＴＰＧにおいて、信号配線ＴＰＨに接地電圧Ｖｓより電圧値の高い電圧Ｖｄと接地電圧Ｖｓとの間で電圧値が周期的に変化する交流の駆動信号ＴＰＨを供給する。また、磁界検出期間ＴＰＤおよび表示期間ＤＰにおいて、信号配線ＴＰＨに接地電圧Ｖｓを供給する。制御装置３は、磁界タッチ検出期間ＴＰにおいて信号配線ＴＰＬに接地電圧Ｖｓを供給し、表示期間ＤＰにおいて、信号配線ＴＰＬに表示駆動電圧ＶＣＯＭＤＣを供給する。
【０１７７】
この実施の形態において、表示駆動電圧ＶＣＯＭＤＣは、接地電圧Ｖｓよりも電位の低い負の直流電圧である。表示駆動電圧ＶＣＯＭＤＣは表示する映像の情報などにより設定される値であり、この実施の形態の値に限定されず任意の値の電圧とすることができる。表示駆動電圧ＶＣＯＭＤＣが正の直流電圧であってもよい。
【０１７８】
制御装置３は、時刻ｔ５において、開始期間ＴＰ（ｓｓ）を始めるときから、シフトクロック信号ＣＫ−ＢＬ、ＣＫ−ＡＲを変化させ始めるが、シフトクロック信号ＣＫ−ＡＬおよびＣＫ−ＢＲについては、時刻ｔ５よりも前に、離間量レジスタＳ−ＲＥＧに格納されている離間量ｎと束レジスタＣ−ＲＥＧに格納されている束ね量ｍの合計に応じた数だけ、シフトクロック信号ＣＫ−ＡＬおよびＣＫ−ＢＲを変化させる。図１３および図１４の例では、離間量レジスタＳ−ＲＥＧに離間量として１が格納され束レジスタＣ−ＲＥＧに束ね量として１が格納されている場合を示している。そのため、制御装置３は、時刻ｔ５よりも前の時刻ｔ１およびｔ３においてシフトクロック信号ＣＫ−ＡＬおよびＣＫ−ＢＲを合計２回変化させる。また、制御装置３は、時刻ｔ０から時刻ｔ２の間、スタート信号ＳＴ−ＡＬおよびＳＴ−ＢＲを、駆動電極の選択を示すハイレベルにする。
【０１７９】
その後、時刻ｔ４において、制御装置３は、スタート信号ＳＴ−ＢＬおよびＳＴ−ＡＲを、駆動電極の選択を示すハイレベルにする。制御装置３は、時刻ｔ５において、シフトクロック信号ＣＫ−ＡＬ、ＣＫ−ＢＬ、ＣＫ−ＡＲおよびＣＫ−ＢＲを変化させ、以降、磁界タッチ検出期間のたびに、制御装置３は、シフトクロック信号ＣＫ−ＡＬ、ＣＫ−ＢＬ、ＣＫ−ＡＲおよびＣＫ−ＢＲを変化させる。このとき、シフトクロック信号ＣＫ−ＡＬ、ＣＫ−ＢＬ、ＣＫ−ＡＲおよびＣＫ−ＢＲは、互いに同じ周期となるように、制御装置３は、変化させる。
【０１８０】
これにより、第１スキャナ回路ＳＣＡＬのシフトレジスタにおいて、駆動電極の選択を示すハイレベルのスタート信号ＳＴ−ＡＬを格納しているシフト段は、第２スキャナ回路ＳＣＢＬのシフトレジスタにおいて、ハイレベルのスタート信号ＳＴ−ＢＬを格納しているシフト段よりも、２段先に進んでいることになる。同様に、第４スキャナ回路ＳＣＢＲのシフトレジスタにおいて、駆動電極の選択を示すハイレベルのスタート信号ＳＴ−ＢＲを格納しているシフト段は、第３スキャナ回路ＳＣＡＲのシフトレジスタにおいて、ハイレベルのスタート信号ＳＴ−ＡＲを格納しているシフト段よりも、２段先に進んでいることになる。すなわち、第１スキャナ回路ＳＣＡＬおよび第４スキャナ回路ＳＣＢＲは、第２スキャナ回路ＳＣＢＬおよび第３スキャナ回路ＳＣＡＲに比べて、離間量レジスタＳ−ＲＥＧに格納されている離間量と束レジスタＣ−ＲＥＧに格納されている束ね量の合計に相当する２個分先の駆動電極を選択することになる。
【０１８１】
シフトクロック信号ＣＫ−ＡＬ、ＣＫ−ＢＬ、ＣＫ−ＡＲおよびＣＫ−ＢＲが、周期的に変化し、磁界タッチ検出期間ＴＰ（ｎ−１）に到達すると、第１スキャナ回路ＳＣＡＬのシフト段ＦＡＬ（ｎ）（図１０（Ａ）参照）が、ハイレベルのスタート信号を保持し、ハイレベルの第１選択信号ＡＬ（ｎ）を出力する。磁界タッチ検出期間ＴＰ（ｎ−１）の磁界発生期間ＴＰＧにおいて、検出タイミング信号ＣＯＭＳＥＬはハイレベルであり、シフト段ＦＡＬ（ｎ）に対応した単位選択回路ＳＥＬ（ｎ）からは、図１３に示すように、ロウレベルの第１単位選択信号ＳＥＬＨ＿Ｌ（ｎ）と、ハイレベルの第２単位選択信号ＳＥＬＧ＿Ｌ（ｎ）が出力される。
【０１８２】
このとき、第４スキャナ回路ＳＣＢＲのシフト段ＦＢＲ（ｎ）（図１１（Ｂ）参照）においても、ハイレベルのスタート信号が保持されるため、シフト段ＦＢＲ（ｎ）は、ハイレベルの第４選択信号ＢＲ（ｎ）を出力する。そのため、図１４に示すように、磁界タッチ検出期間ＴＰ（ｎ−１）の磁界発生期間ＴＰＧにおいて、ロウレベルの第４単位選択信号ＳＥＬＧ＿Ｒ（ｎ）およびハイレベルの第３単位選択信号ＳＥＬＨ＿Ｒ（ｎ）が対応する単位選択回路ＳＥＲ（ｎ）から出力される。
【０１８３】
その結果、磁界タッチ検出期間ＴＰ（ｎ−１）の磁界発生期間ＴＰＧにおいて、駆動電極ＴＬ（ｎ）の第１端部ｎ１は、信号配線ＴＰＨに接続され、第２端部ｎ２は信号配線ＴＰＬに接続される。
【０１８４】
これにより、磁界タッチ検出期間ＴＰ（ｎ−１）の磁界発生期間ＴＰＧにおいて、駆動電極ＴＬ（ｎ）は、第１端部ｎ１から駆動信号ＴＰＨの変動に応じて第１駆動電圧Ｖｄが供給され、第２端部ｎ２から、第２駆動電圧Ｖｓが供給され、磁界を発生することになる。
【０１８５】
なお、１個の駆動電極ＴＬ（ｎ−１）を挟んで、駆動電極ＴＬ（ｎ）から離間した駆動電極ＴＬ（ｎ−２）については、この波形図では省略されている。
【０１８６】
駆動電極ＴＬ（ｎ−２）に相当する駆動電極が存在しない時、すなわち、駆動電極ＴＬ
（ｎ）が、表示領域２において最も端、または端から２個目の駆動電極である場合には、駆動電極ＴＬ（ｎ）のみを駆動させてもよい。また、第１スキャナ回路ＳＣＡＬと第４スキャナ回路ＳＣＢＲとが端から３番目の駆動電極から選択を開始するように駆動してもよい。また、表示領域の外側の額縁領域に、駆動電極ＴＬ（ｎ―２）と同様に機能する補助電極を配置してもよい。
【０１８７】
シフトクロック信号ＣＫ−ＡＬ、ＣＫ―ＢＬ、ＣＫ−ＡＲおよびＣＫ−ＢＲが変化して、磁界タッチ検出期間ＴＰ（ｎ＋１）に到達すると、ハイレベルのスタート信号が、シフト段ＦＡＬ（ｎ＋１）からシフト段ＦＡＬ（ｎ＋２）へ移動し、シフト段ＦＡＬ（ｎ＋２）に格納される。同様に、シフト段ＦＢＲ（ｎ＋１）からシフト段ＦＢＲ（ｎ＋２）へ、ハイレベルのスタート信号が移動し、シフト段ＦＢＲ（ｎ＋２）に格納される。
【０１８８】
このとき、第２スキャナ回路ＳＣＢＬのシフトレジスタのシフト段ＦＢＬ（ｎ）（図１０（Ｂ）参照）に、時刻ｔ５で、第２スキャナ回路ＳＣＢＬのシフトレジスタに取り込まれたハイレベルのスタート信号が、前段のシフト段から移動し、シフト段ＦＢＬ（ｎ）に格納される。同様に、このとき、第３スキャナ回路ＳＣＡＲのシフトレジスタのシフト段ＦＡＲ（ｎ）（図１１（Ａ）参照）に、時刻ｔ５で、第３スキャナ回路ＳＣＡＲのシフトレジスタに取り込まれたハイレベルのスタート信号が、前段のシフト段から移動し、シフト段ＦＡＲ（ｎ）に格納される。
【０１８９】
そのため、磁界タッチ検出期間ＴＰ（ｎ＋１）の磁界発生期間ＴＰＧにおいては、シフト段ＦＡＬ（ｎ＋２）、ＦＢＲ（ｎ＋２）に対応した単位選択回路ＳＥＬ（ｎ＋２）、ＳＥＲ（ｎ＋２）からだけではなく、シフト段ＦＡＬ（ｎ）、ＦＢＲ（ｎ）に対応した単位選択回路ＳＥＬ（ｎ）、ＳＥＲ（ｎ）からも、検出タイミング信号ＣＯＭＳＥＬに同期した第１単位選択信号、第２単位選択信号、第３単位選択信号、第４単位選択信号が出力されることになる。
【０１９０】
その結果、図１３に示すように、磁界タッチ検出期間ＴＰ（ｎ＋１）の磁界発生期間ＴＰＧにおいては、単位選択回路ＳＥＬ（ｎ＋２）からロウレベルの第１単位選択信号ＳＥＬＨ＿Ｌ（ｎ＋２）が出力され、駆動電極ＴＬ（ｎ＋２）の第１端部ｎ１は、信号配線ＴＰＨに接続される。単位選択回路ＳＥＬ（ｎ）からロウレベルの第２単位選択信号ＳＥＬＧ＿Ｌ（ｎ）が出力され、駆動電極ＴＬ（ｎ）の第１端部ｎ１は、信号配線ＴＰＬに接続される。
【０１９１】
また、この時、図１４に示すように、単位選択回路ＳＥＲ（ｎ＋２）からロウレベルの第４単位選択信号ＳＥＬＧ＿Ｒ（ｎ＋２）が出力され、駆動電極ＴＬ（ｎ＋２）の第２端部ｎ２は、信号配線ＴＰＬに接続される。また、単位選択回路ＳＥＲ（ｎ）からロウレベルの第３単位選択信号ＳＥＬＨ＿Ｒ（ｎ）が出力され、駆動電極ＴＬ（ｎ）の第２端部ｎ２は、信号配線ＴＰＨに接続される。
【０１９２】
この時、駆動電極ＴＬ（ｎ＋２）の第１端部ｎ１と駆動電極ＴＬ（ｎ）の第２端部ｎ２に駆動信号ＴＰＨの変動に応じて第１駆動電圧Ｖｄが供給され、駆動電極ＴＬ（ｎ＋２）の第２端部ｎ２と駆動電極ＴＬ（ｎ）の第１端部ｎ１に第２駆動電圧Ｖｓが供給される。駆動電極ＴＬ（ｎ＋２）と駆動電極ＴＬ（ｎ）にそれぞれ反対の向きに発生した磁界が、その間に配置された駆動電極ＴＬ（ｎ＋１）、領域において重畳する。
【０１９３】
磁界タッチ検出期間ＴＰ（ｎ＋２）〜ＴＰ（ｎ＋４）のそれぞれにおける動作は、ハイレベルのスタート信号が、移動することにより、検出タイミング信号ＣＯＭＳＥＬに同期して、第１選択信号、第２選択信号、第３選択信号、第４選択信号が、順次移動することを除いて、磁界タッチ検出期間ＴＰ（ｎ＋１）と同じであるため、説明は省略する。
【０１９４】
なお、図９に示した接続状態は、図１３および図１４において、一点鎖線Ｆ９で囲んだタイミングのときに相当する。
【０１９５】
この実施の形態１においては、第１スキャナ回路ＳＣＡＬおよび第４スキャナ回路ＳＣＢＲのそれぞれのシフトレジスタは、図１３および図１４に示した時刻ｔ１において、ハイレベルのスタート信号を取り込んだ後は、シフトクロック信号ＣＫ−ＡＬ、ＣＫ−ＢＲの変化に同期して、駆動電極の非選択を示すロウレベルを取り込む。同様に、第２スキャナ回路ＳＣＢＬおよび第３スキャナ回路ＳＣＡＲのそれぞれのシフトレジスタは、図１３および図１４に示した時刻ｔ５において、ハイレベルのスタート信号を取り込んだ後は、シフトクロック信号ＣＫ−ＢＬ、ＣＫ−ＡＲの変化に同期して、駆動電極の非選択を示すロウレベルを取り込む。
【０１９６】
これにより、ハイレベルのスタート信号を保持しているシフト段を除いたシフト段は、磁界タッチ検出期間のとき、ロウレベルの第１選択信号、第２選択信号、第３選択信号、および第４選択信号を出力することになる。例えば、図１３および図１４に示した磁界タッチ検出期間ＴＰ（ｎ＋１）で述べると、シフト段ＦＡＬ（ｎ）〜ＦＡＬ（ｎ＋１）、ＦＡＬ（ｎ＋３）〜ＦＡＬ（ｎ＋５）、ＦＢＬ（ｎ＋１）〜ＦＢＬ（ｎ＋５）、ＦＡＲ（ｎ＋１）〜ＦＡＲ（ｎ＋５）およびＦＢＲ（ｎ）〜ＦＢＲ（ｎ＋１）、ＦＢＲ（ｎ＋３）〜ＦＢＲ（ｎ＋５）は、非選択のロウレベルを保持している。そのため、これらのシフト段から出力される第１選択信号、第２選択信号、第３選択信号、および第４選択信号はロウレベルとなる。
【０１９７】
この時、対応する第１選択信号、第２選択信号、第３選択信号、第４選択信号のいずれもがロウレベルとなる駆動電極ＴＬ（ｎ＋１）、ＴＬ（ｎ＋３）〜ＴＬ（ｎ＋５）については、図１２で説明した動作に従って、第１単位選択信号ＳＥＬＨ＿Ｌ、第２単位選択信号ＳＥＬＧ＿Ｌ、第３単位選択信号ＳＥＬＨ＿Ｒ、第４単位選択信号ＳＥＬＧ＿Ｒの出力はいずれもハイレベルとなり、第１端部ｎ１と第２端部ｎ２とは、信号配線ＴＰＨおよびＴＰＬから分離される。
【０１９８】
その結果、磁界タッチ検出期間のとき、非選択の駆動電極は、信号配線ＴＰＬ、ＴＰＨに接続されず、フローティング状態となる。これにより、選択された駆動電極の電圧を変化させるとき、非選択の駆動電極との間の寄生容量の充放電を低減することが可能となり、選択された駆動電極の電圧を変化させる速度を向上することが可能となる。
【０１９９】
また、この実施の形態１において、制御装置３は、磁界タッチ検出期間のとき、図４に示したゲートドライバ４が、全ての走査線をフローティング状態とするように、ゲートドライバ４を制御する。さらに、磁界タッチ検出期間のとき、制御装置３は、全ての信号線ＳＬ（０）〜ＳＬ（ｐ）をフローティング状態にする。これにより、選択された駆動電極の電圧を変化させるとき、走査線および信号線と選択された駆動電極との間の寄生容量の充放電を低減することが可能となり、選択された駆動電極の電圧を変化させる速度を向上することが可能となる。
【０２００】
磁界タッチ検出期間において、磁界発生期間ＴＰＧに続く磁界検出期間ＴＰＤでは、ペンＰｅｎからの磁界の検出が行われるが、磁界検出期間ＴＰＤにおける動作は、図２（Ｂ）で説明した動作と同じである。すなわち、第２基板ＣＧＢに形成された検出電極ＲＬ（０）〜ＲＬ（ｐ）によって、ＤＹ（ｎ−２）〜ＤＹ（ｎ＋１）のような磁界検出コイルを構成し、ペンＰｅｎからの磁界を検出する。図２（Ｂ）で説明した動作と同じであるため、磁界検出期間ＴＰＤの動作は省略する。
【０２０１】
＜電界タッチ検出の動作＞
実施の形態１に係わる表示装置１は、磁界タッチ検出と電界タッチ検出の両方が可能である。次に、電界タッチ検出を行う場合の動作を説明する。図１５は、電界タッチ検出の構成を示すブロック図である。図１５に示すブロック図は、第１スイッチＳ０１、第２スイッチＳ００の接続が変わるだけで、図９に示したブロック図と同じであるため、説明は省略する。図１６および図１７は、電界タッチ検出の動作を説明する波形図である。
【０２０２】
表示装置１の構成は、図１５に示すように、電界タッチ検出の場合も同じであり、制御装置３によって形成される信号の波形が、磁界タッチ検出のときとは異なる。電界タッチ検出の動作を、波形図を用いて説明するが、図面が複雑になるのを避けるために、ここでも、波形図は、図１６および図１７に分けてある。図１７を、図１６の下側に配置することにより、波形図が完成する。図１６および図１７は、図１３および図１４と類似しているため、ここでは相違点を主に説明する。
【０２０３】
磁界タッチ検出では、既に説明したように、磁界発生期間と磁界検出期間を識別するために、検出タイミング信号ＣＯＭＳＥＬが用いられていた。これに対して、電界タッチ検出においては、図３で説明したように、駆動電極で電界を発生し、そのときの電界の変化を検出電極によって検出することにより、タッチの検出が行われる。そのため、電界を発生する期間と電界を検出する期間を識別することは要求されない。
【０２０４】
この実施の形態１においては、磁界タッチ検出のときと同様に、表示期間と電界タッチ検出期間とが交互に生じるように、制御装置３が制御する。図１６および図１７において、ＤＰは、表示期間を示し、ＴＣ（ｎ）〜ＴＣ（ｎ＋５）は、駆動電極ＴＬ（ｎ）〜ＴＬ（ｎ＋５）の領域において電界タッチ検出を行う電界タッチ検出期間を示している。また、ＴＣ（ｓｓ）は、電界タッチ検出を開始する開始期間を示している。
【０２０５】
図１６に示すように、制御装置３は、磁界タッチ検出の時と異なり、電界タッチ検出の時、制御信号ＣＯＭＦＬをロウレベルに維持する。
【０２０６】
制御装置３は、開始期間ＴＣ（ｓｓ）および電界タッチ検出期間のとき、検出タイミング信号ＣＯＭＳＥＬをハイレベルにし、表示期間ＤＰの時ロウレベルとする。
【０２０７】
制御装置３は、開始期間ＴＣ（ｓｓ）および電界タッチ検出期間ＴＣ（ｎ）〜ＴＣ（ｎ＋５）の時、信号配線ＴＰＨに電圧Ｖｄと接地電圧Ｖｓの間を周期的に複数回変化する交流の駆動信号ＴＰＨを供給し、表示期間ＤＰの時、接地電圧Ｖｓを供給する。
【０２０８】
制御装置３は、開始期間ＴＣ（ｓｓ）および電界タッチ検出期間ＴＣ（ｎ）〜ＴＣ（ｎ＋５）、表示期間ＤＰに信号配線ＴＰＬに表示駆動電圧ＶＣＯＭＤＣを供給する。
【０２０９】
電界タッチ検出においては、選択される駆動電極に駆動信号ＴＰＨを供給する第１スキャナ回路ＳＣＡＬと第３スキャナ回路ＳＣＡＲだけにハイレベルのスタート信号を供給し、第２スキャナ回路ＳＣＢＬと第４スキャナ回路ＳＣＢＲは動作しないので、スキャナ回路のタイミングをずらす必要はなく、離間量レジスタＳ−ＲＥＧおよび束レジスタＣ−ＲＥＧは使用しない。
【０２１０】
電界タッチ検出の場合、図１６および図１７に示すように、時刻ｔ０において、制御装置３は、スタート信号ＳＴ−ＡＬおよびＳＴ−ＡＲを、ロウレベルから駆動電極の選択を示すハイレベルへ変化させる。また、制御装置３は、開始期間ＴＣ（ｓｓ）および電界タッチ検出期間ごとに、シフトクロック信号ＣＫ−ＡＬおよびＣＫ−ＡＲを、ロウレベルからハイレベルに変化させる。すなわち、シフトクロック信号ＣＫ−ＡＬ、ＣＫ−ＡＲを周期的に変化させる。一方、電界タッチ検出のとき、制御装置３は、図１６および図１７に示すように、スタート信号ＳＴ−ＢＬおよびＳＴ−ＢＲのそれぞれをロウレベルＬに維持し、シフトクロック信号ＣＫ−ＢＬおよびＣＫ−ＢＲをロウレベルＬに維持する。すなわち、電界タッチ検出のとき、シフトクロック信号ＣＫ−ＢＬ、ＣＫ−ＢＲを変化させない。
【０２１１】
時刻ｔ１において、シフトクロック信号ＣＫ−ＡＬ、ＣＫ−ＡＲが変化することにより、第１スキャナ回路ＳＣＡＬおよび第３スキャナ回路ＳＣＡＲのシフトレジスタが、駆動電極の選択を示すハイレベルのスタート信号ＳＴ−ＡＬ、ＳＴ−ＡＲを取り込む。これに対して、シフトクロック信号ＣＫ−ＢＬ、ＣＫ−ＢＲは変化しないため、第２スキャナ回路ＳＣＢＬおよび第４スキャナ回路ＳＣＢＲのシフトレジスタは、スタート信号ＳＴ−ＢＬ、ＳＴ−ＢＲを取り込まず、以前の状態を出力する。特に制限されないが、第２スキャナ回路ＳＣＢＬおよび第４スキャナ回路ＳＣＢＲのシフトレジスタは、時刻ｔ０よりも前の時刻において、リセットされ、第２スキャナ回路ＳＣＢＬおよび第４スキャナ回路ＳＣＢＲから出力されている第２選択信号および第４選択信号は、全てロウレベルとなっている。
【０２１２】
電界タッチ検出期間が繰り返されるたびに、シフトクロック信号ＣＫ−ＡＬ、ＣＫ−ＡＲが変化し、電界タッチ検出期間ＴＣ（ｎ）に到達すると、シフトクロック信号ＣＫ−ＡＬ、ＣＫ−ＡＲの変化に同期して、図１０（Ａ）および図１１（Ａ）に示したシフト段ＦＡＬ（ｎ）、ＦＡＲ（ｎ）が、前段のシフト段から出力されている選択を示すハイレベルのスタート信号ＳＴ−ＡＬ、ＳＴ−ＡＲを取り込み、保持する。その結果、シフト段ＦＡＬ（ｎ）、ＦＡＲ（ｎ）から出力されている第１選択信号ＡＬ（ｎ）、および第３選択信号ＡＲ（ｎ）がロウレベルからハイレベルへ変化する。これにより、図１２に示した単位選択回路ＳＥＬ（ｎ）、ＳＥＲ（ｎ）のそれぞれにおいて、第１転送スイッチＴＰ１Ｌ、ＴＰ１Ｒがオン状態となる。
【０２１３】
このとき、検出タイミング信号ＣＯＭＳＥＬはハイレベルＨになっているため、図１６および図１７に示すように、第２単位選択信号ＳＥＬＧ＿Ｌ（ｎ）、第４単位選択信号ＳＥＬＧ＿Ｒ（ｎ）はハイレベルとなり、第１単位選択信号ＳＥＬＨ＿Ｌ（ｎ）、第３単位選択信号ＳＥＬＨ＿Ｒ（ｎ）はロウレベルとなる。これにより、単位選択回路ＳＥＬ（ｎ）、ＳＥＲ（ｎ）に対応した単位駆動回路ＵＳＬ、ＵＳＲにおいて、ＰトランジスタＰ５Ｌ、Ｐ５Ｒがオン状態となり、ＰトランジスタＰ６Ｌ、Ｐ６Ｒはオフ状態となる。その結果、シフト段ＦＡＬ（ｎ）、ＦＡＲ（ｎ）に対応した駆動電極ＴＬ（ｎ）の第１端部ｎ１は、ＰトランジスタＰ５Ｌを介して信号配線ＴＰＨに接続され、第２端部ｎ２は、ＰトランジスタＰ５Ｒを介して信号配線ＴＰＨに接続されることになる。
【０２１４】
電界タッチ検出期間ＴＣ（ｎ）において、駆動電極ＴＬ（ｎ）は、その両端ｎ１、ｎ２に、周期的に変化する交流電圧が第３駆動電圧として供給されることになり、第３駆動電圧の変化に従った電界を発生する。
【０２１５】
なお、第２スキャナ回路ＳＣＢＬおよび第４スキャナ回路ＳＣＢＲは、電界タッチ検出のとき、ロウレベルの第２選択信号および第４選択信号を継続的に出力しているため、単位選択回路ＳＥＬ（ｎ）、ＳＥＲ（ｎ）における第２転送スイッチＴＰ２Ｌ、ＴＰ２Ｒはオフ状態となっている。
【０２１６】
また、電界タッチ検出期間ＴＣ（ｎ）のとき、第１スキャナ回路ＳＣＡＬおよび第３スキャナ回路ＳＣＡＲのシフトレジスタにおいて、シフト段ＦＡＬ（ｎ）、ＦＡＲ（ｎ）を除くシフト段は、全て、駆動電極の非選択を示すロウレベルを保持しているため、第１選択信号はロウレベルとなる。図１０および図１１に示した例では、シフト段ＦＡＬ（ｎ＋１）〜ＦＡＬ（ｎ＋５）およびＦＡＲ（ｎ＋１）〜ＦＡＲ（ｎ＋５）は、ロウレベルの第１選択信号ＡＬ（ｎ＋１）〜ＡＬ（ｎ＋５）および第３選択信号ＡＲ（ｎ＋１）〜ＡＲ（ｎ＋５）を出力することになる。
【０２１７】
このとき、単位選択回路ＳＥＬ（ｎ＋１）〜ＳＥＬ（ｎ＋５）およびＳＥＲ（ｎ＋１）〜ＳＥＲ（ｎ＋５）のそれぞれにおいて、ＮトランジスタＮ５Ｌ、Ｎ５Ｒがオン状態となるため、ロウレベルの電圧ＶＧＬＯがインバータ回路ＩＶ４Ｌ、ＩＶ４Ｒに供給される。その結果、ハイレベルの第１単位選択信号ＳＥＬＨ＿Ｌ（ｎ＋１）〜ＳＥＬＨ＿Ｌ（ｎ＋５）および第３単位選択信号ＳＥＬＨ＿Ｒ（ｎ＋１）〜ＳＥＬＨ＿Ｒ（ｎ＋５）が出力される。
【０２１８】
また、この時、ＮトランジスタＮ３ＬとＮ４Ｌ、Ｎ３ＲとＮ４Ｒがオン状態となるが、磁界タッチ検出期間と異なり、電界タッチ検出期間において、制御信号ＣＯＭＦＬはロウレベルであるため、インバータ回路ＩＶ３Ｌ，ＩＶ３Ｒが出力する信号はハイレベルとなり、ロウレベルの第２単位選択信号ＳＥＬＧ＿Ｌ（ｎ＋１）〜ＳＥＬＧ＿Ｌ（ｎ＋５）および第４単位選択信号ＳＥＬＧ＿Ｒ（ｎ＋１）〜ＳＥＬＧ＿Ｒ（ｎ＋５）が出力されるため、非選択の駆動電極ＴＬ（ｎ＋１）〜ＴＬ（ｎ＋５）の端部ｎ１とｎ２とは信号配線ＴＰＬに接続される。すなわち、制御信号ＣＯＭＦＬがハイレベルの磁界発生期間とロウレベルの電界タッチ検出期間では、非選択の駆動電極が信号配線ＴＰＬに接続されないか、接続されるかが相違することになる。
【０２１９】
非選択の駆動電極（ＴＬ（ｎ＋１）〜ＴＬ（ｎ＋５））は、両端部ｎ１、ｎ２に、信号配線ＴＰＬを介して所定の直流電圧である表示駆動電圧ＶＣＯＭＤＣを供給することにより、非選択の駆動電極から検出電極ＲＬへのノイズの混入を抑制することができる。
【０２２０】
電界タッチ検出期間ＴＣ（ｎ）を例にして説明したが、駆動電極の選択を示すハイレベルが、第１スキャナ回路ＳＣＡＬと第３スキャナ回路ＳＣＡＲのシフト段を移動することにより、電界タッチ検出期間ＴＣ（ｎ＋１）〜ＴＣ（ｎ＋５）においても同様に、選択された駆動電極ＴＬ（ｎ＋１）〜ＴＬ（ｎ＋５）において電界が発生する。例えば、図１６および図１７において、電界タッチ検出期間ＴＣ（ｎ＋２）であるタイミング（一点鎖線Ｆ１５で囲んだタイミング、図１５に示した接続状態に相当）では、シフト段ＦＡＬ（ｎ＋２）、ＦＡＲ（ｎ＋２）が、駆動電極ＴＬ（ｎ＋２）の選択を示すハイレベルを保持している。これにより、図１６および図１７に示すような、第２単位選択信号ＳＥＬＧ＿Ｌ（ｎ）〜ＳＥＬＧ＿Ｌ（ｎ＋５）、第４単位選択信号ＳＥＬＧ＿Ｒ（ｎ）〜ＳＥＬＧ＿Ｒ（ｎ＋５）および第１単位選択信号ＳＥＬＨ＿Ｌ（ｎ）〜ＳＥＬＨ＿Ｌ（ｎ＋５）、第３単位選択信号ＳＥＬＨ＿Ｒ（ｎ）〜ＳＥＬＨ＿Ｒ（ｎ＋５）が出力され、第１スイッチＳ０１（Ｐ５Ｌ、Ｐ５Ｒ）、第２スイッチＳ００（Ｐ６Ｌ、Ｐ６Ｒ）は、図１５に示すような状態になる。この状態では、駆動電極ＴＬ（ｎ＋２）が選択され、その両端ｎ１、ｎ２に、信号配線ＴＰＨから周期的に電圧が変化する第３駆動電圧が供給され、この駆動電極ＴＬ（ｎ＋２）において、第３駆動電圧に従った電界が発生する。
【０２２１】
電界タッチ検出期間ＴＣ（ｎ）〜ＴＣ（ｎ＋５）のそれぞれにおいて、第２基板に形成された検出電極ＲＬ（０）〜ＲＬ（ｐ）を用いて、電界の変化が、図３で説明したように検出される。検出電極を用いた電界の変化の検出は、図３で説明したのと同様であるため、説明は省略する。
【０２２２】
以上で説明したように、電界タッチ検出期間においては、駆動電極の選択を示す第１スキャナ回路ＳＣＡＬと第３スキャナ回路ＳＣＡＲのみを駆動し、第２スキャナ回路ＳＣＢＬと第４スキャナ回路ＳＣＢＲは常に全ての駆動電極を非選択の状態とする。磁界検出期間と異なり、電界タッチ検出期間には制御信号ＣＯＭＦＬがロウレベルとなるため、いずれのスキャナ回路にも選択されない駆動電極の端部は信号配線ＴＰＬに接続され、接地電圧のような所定電圧に固定される。このようにして、磁界タッチ検出と電界タッチ検出とを同一の装置構成で、時分割で行うことができる。
【０２２３】
また、表示期間ＤＰにおいては制御信号ＣＯＭＦＬおよび検出タイミング信号ＣＯＭＳＥＬがロウレベルであり、またいずれのスキャナ回路も駆動電極を選択しないため、図１２で示した回路の動作に従って、全ての単位選択回路ＳＥＬにハイレベルの第１単位選択信号ＳＥＬＨ＿Ｌとロウレベルの第２単位選択信号ＳＥＬＧ＿Ｌが出力され、全ての単位選択回路ＳＥＲにハイレベルの第３単位選択信号ＳＥＬＨ＿Ｒとロウレベルの第４単位選択信号ＳＥＬＧ＿Ｒが出力され、全ての駆動電極が信号配線ＴＰＬに接続され、表示駆動信号ＶＣＯＭＤＣが供給される。
【０２２４】
この時、駆動電極ＴＬは表示装置の共通電極として機能する。
【０２２５】
このような表示装置１は、磁界タッチ検出と電界タッチ検出とで駆動電極、駆動回路、信号配線、検出電極、これらが配置される基板などを共有しているので、表示装置１が薄型化、軽量化できる。
【０２２６】
また、磁界タッチ検出においては、１本の駆動電極では充分な強度の磁界を発生できないので、一対の駆動電極を同時に選択し、互いに逆向きの電流を流すように駆動することで磁界強度を向上させることができる。
【０２２７】
なお、図１３〜図１７では第１駆動電極および第２駆動電極がそれぞれ１個の駆動電極のみを含む場合について説明したが、第１駆動電極および第２駆動電極がそれぞれ複数の駆動電極を含む場合は、それぞれのシフトクロック信号を最初に変化させるとき、束ね量ｍの回数分変化する間、対応するスタート信号をハイレベルにするようにすればよい。これにより、ｍ個分のハイレベルのスタート信号が隣接するシフト段に取り込まれる。
【０２２８】
＜ゲートドライバ、第１スキャナ回路対および第１選択駆動回路の配置＞
図１８は、実施の形態１に係わるゲートドライバ４、第１スキャナ回路対ＳＣＬおよび第１選択駆動回路ＳＤＬの配置を説明するための平面図である。図５に示したように、表示領域２の辺２−Ｌとモジュール５００の辺５００−Ｌとの間の額縁領域には、ゲートドライバ４、第１スキャナ回路対ＳＣＬおよび第１選択駆動回路ＳＤＬが配置されている。第１スキャナ回路対ＳＣＬは、第１スキャナ回路ＳＣＡＬと第２スキャナ回路ＳＣＢＬを有している。第１選択駆動回路ＳＤＬは、選択回路ＳＥＬＬと駆動回路ＤＲＶＬを有している。
【０２２９】
図１８は、図５に示した表示領域２の辺２−Ｌとモジュール５００の辺５００−Ｌとの間の額縁領域について、駆動電極ＴＬ（０）〜ＴＬ（ｐ）のうち、駆動電極ＴＬ（０）に対応する部分を代表して示している。駆動電極ＴＬ（０）の領域は、図１８に示す通り、走査線ＧＬ（０）〜ＧＬ（ｍ−１）のｍ段に相当する領域に対応する。駆動電極ＴＬ（０）以外の他の駆動電極ＴＬ（１）〜ＴＬ（ｐ）に対応する部分についても同様に、駆動電極ＴＬ（０）と同様の構成が繰り返されるように配置されている。
【０２３０】
表示領域２において、複数の走査線ＧＬと複数の信号線ＳＬとが交差する領域には画素Ｐｉｘを構成する副画素ＳＰｉｘが配置されている。表示領域２の辺２−Ｌとモジュール５００の辺５００−Ｌとの間の額縁領域には、表示領域２の辺２−Ｌ側からモジュール５００の辺５００−Ｌに向けて、信号配線ＴＰＬ、第１スイッチＳ０１、第２スイッチＳ００および信号配線ＴＰＨが順に配置されている。モジュール５００の辺５００−Ｌに最も近い領域に、ゲートドライバ４、第１スキャナ回路ＳＣＡＬ、第２スキャナ回路ＳＣＢＬおよび選択回路ＳＥＬＬが配置されている。ゲートドライバ４は、複数の単位ゲートドライバＵＧＤを備えている。第１スキャナ回路ＳＣＡＬおよび第２スキャナ回路ＳＣＢＬもそれぞれ、複数の単位スキャナ回路ＵＳＣＡ、ＵＳＣＢを備えている。選択回路ＳＥＬＬも、複数の単位選択回路ＳＥＬを備えている。
【０２３１】
ゲートドライバ４、第１スキャナ回路ＳＣＡＬ、第２スキャナ回路ＳＣＢＬおよび選択回路ＳＥＬＬは、モジュール５００の辺５００−Ｌに沿って配置されている。第１スキャナ回路ＳＣＡＬと第２スキャナ回路ＳＣＢＬとを見た場合に、第１スキャナ回路ＳＣＡＬの単位スキャナ回路ＵＳＣＡと第２スキャナ回路ＳＣＢＬの単位スキャナ回路ＵＳＣＢとがモジュール５００の辺５００−Ｌに沿って交互に配置されている。第１スキャナ回路ＳＣＡＬの単位スキャナ回路ＵＳＣＡと第２スキャナ回路ＳＣＢＬの単位スキャナ回路ＵＳＣＢとの間には、選択回路ＳＥＬＬの単位選択回路ＳＥＬが配置されている。また、第１スキャナ回路ＳＣＡＬおよび第２スキャナ回路ＳＣＢＬとゲートドライバ４とを見た場合に、第１スキャナ回路ＳＣＡＬの単位スキャナ回路ＵＳＣＡおよび第２スキャナ回路ＳＣＢＬの単位スキャナ回路ＵＳＣＢとゲートドライバ４の単位ゲートドライバＵＧＤとがモジュール５００の辺５００−Ｌに沿って交互に配置されている。
【０２３２】
この実施の形態１においては、表示領域２の辺２−Ｌとモジュール５００の辺５００−Ｌとの間の額縁領域に、第１スキャナ回路ＳＣＡＬの単位スキャナ回路ＵＳＣＡ、第２スキャナ回路ＳＣＢＬの単位スキャナ回路ＵＳＣＢ、およびゲートドライバ４の単位ゲートドライバＵＧＤを一列になるように互いに交互に配置することで、この額縁領域を大きくする必要がない。
【０２３３】
この実施の形態では、１個の駆動電極は数〜数十個の画素にまたがって配置され、各スキャナ回路の単位スキャナ回路の数は、画素Ｐｉｘの配列数と比べると非常に少ないので、単位スキャナ回路および単位選択回路ＳＥＬを単位ゲートドライバＵＧＤ同士の空き領域に配置することができる。
【０２３４】
また、一対の駆動電極の端部のそれぞれに対応する４種類のスキャナ回路を用いて磁界タッチ駆動を行うため、単位選択回路ＳＥＬの回路構造については簡素化でき回路面積が小さくてすむので単位ゲートドライバＵＧＤ間に配置するのが容易である。
【０２３５】
ゲートドライバ４は表示領域２の辺２−Ｒにも沿って配置され、同様に第３スキャナ回路の単位スキャナ回路ＵＳＣＡ、第４スキャナ回路の単位スキャナ回路ＵＳＣＢ、単位選択回路ＳＥＲが、単位ゲートドライバＵＧＤ同士の間に互いに交互に配置されていてもよい。
【０２３６】
（実施の形態２）
実施の形態２に係わる表示装置１について説明する。この実施の形態２では、先に説明した実施の形態１との相違点を主に説明する。
【０２３７】
図１９は、実施の形態２に係わる第１スキャナ回路対ＳＣＬ、第２スキャナ回路対ＳＣＲ、第１選択駆動回路ＳＤＬおよび第２選択駆動回路ＳＤＲの構成を示すブロック図である。図１９は、先に説明した図９と類似しているので、ここでは相違点を主に説明する。
【０２３８】
図９で示した実施の形態１との相違点は、第２スキャナ回路対ＳＣＲから出力される第３選択信号ＡＲ（ｎ）〜ＡＲ（ｎ＋５）と、第４選択信号ＢＲ（ｎ）〜ＢＲ（ｎ＋５）の第２選択駆動回路ＳＤＲへのの接続先が、反対になっていることである。
【０２３９】
図２０は、実施の形態２に係わる第２選択駆動回路ＳＤＲの構成を示す回路図である。図２０には、第２選択駆動回路ＳＤＲを構成する複数の単位選択回路のうち、単位選択回路ＳＥＲ（ｎ）とこの単位選択回路ＳＥＲ（ｎ）に対応する単位駆動回路ＵＳＲの構成だけが示されているがＳＥＲ（ｎ＋１）〜ＳＥＲ（ｎ＋５）についても同様の構成である。実施の形態２に係わる第１選択駆動回路ＳＤＬを構成する単位選択回路ＳＥＬ（ｎ）〜ＳＥＬ（ｎ＋５）および単位駆動回路ＵＳＬの構成は、図１２（Ａ）に示した実施の形態１と同じであるので説明を省略する。
【０２４０】
図１２（Ｂ）で示した実施の形態１と異なり、実施の形態２では、ＮトランジスタＮ１ＲのゲートとＮトランジスタＮ６Ｒのゲートとインバータ回路ＩＶ１Ｒとに第４選択信号ＢＲ（ｎ）〜ＢＲ（ｎ＋５）が接続される。そのため、インバータ回路ＩＶ１Ｒと接続されたＮトランジスタＮ５ＲとＮ３Ｒは第４選択信号ＢＲ（ｎ）〜ＢＲ（ｎ＋５）の位相反転である第４反転選択信号ＸＢＲ（ｎ）〜ＸＢＲ（ｎ＋５）によりスイッチ制御される。
【０２４１】
また、図１２（Ｂ）で示した実施の形態１と異なり、インバータ回路ＩＶ２ＲとＮトランジスタＮ２Ｒのゲートに第３選択信号ＡＲ（ｎ）〜ＡＲ（ｎ＋５）が接続される。従って、インバータ回路ＩＶ２Ｒに接続されたＮトランジスタＮ４Ｒは第３反転選択信号ＸＡＲ（ｎ）〜ＸＡＲ（ｎ＋５）によりスイッチ制御される。
【０２４２】
すなわち、単位選択回路ＳＥＲ（ｎ）内における、第３選択信号ＡＲ（ｎ）〜ＡＲ（ｎ＋５）と第４選択信号ＢＲ（ｎ）〜ＢＲ（ｎ＋５）の接続先が実施の形態１と実施の形態２では逆になっている。すなわち、図１２（Ｂ）の説明において第３選択信号ＡＲ（ｎ）〜ＡＲ（ｎ＋５）がハイレベルの時の動作と第４選択信号ＢＲ（ｎ）〜ＢＲ（ｎ＋５）がハイレベルの時の動作が入れ替わることとなる。
【０２４３】
それ以外は実施の形態１と実施の形態２は同じである。
【０２４４】
このため、実施の形態１と異なり、実施の形態２の単位選択回路ＳＥＲ（ｎ）においては、第４選択信号ＢＲ（ｎ）〜ＢＲ（ｎ＋５）が駆動電極の選択を示すハイレベルの時、単位駆動回路ＵＳＬに出力される第３単位選択信号ＳＥＬＨ＿Ｒ（ｎ）はロウレベルとなり、第４単位選択信号ＳＥＬＧ＿Ｒ（ｎ）がハイレベルとなるため、駆動電極ＴＬ（ｎ）の第２端部ｎ２が信号配線ＴＰＨを接続される。この時、検出タイミング信号ＣＯＭＳＥＬが磁界発生期間を示すハイレベルであるとする。
【０２４５】
また、第３選択信号ＡＲ（ｎ）〜ＡＲ（ｎ＋５）が駆動電極の選択を示すハイレベルの時、第４選択信号ＢＲ（ｎ）〜ＢＲ（ｎ＋５）はロウレベルとなるため、第３単位選択信号ＳＥＬＨ＿Ｒ（ｎ）はロウレベルの接地電圧ＶＧＬＯの位相反転であるハイレベルとなり、第４単位選択信号ＳＥＬＧ＿Ｒ（ｎ）はハイレベルの検出タイミング信号ＣＯＭＳＥＬの位相反転であるロウレベルが出力され、駆動電極ＴＬ（ｎ）の第２端部ｎ２が信号配線ＴＰＬに接続される。
【０２４６】
また、第４選択信号ＢＲ（ｎ）〜ＢＲ（ｎ＋５）も第３選択信号ＡＲ（ｎ）〜ＡＲ（ｎ＋５）もロウレベルの時、すなわち駆動電極が非選択の時、駆動電極ＴＬ（ｎ）の第２端部ｎ２は信号配線ＴＰＨおよびＴＰＬから切り離される。
【０２４７】
各回路動作の詳細については図１２（Ｂ）と同様であるため省略する。
【０２４８】
すなわち、駆動電極ＴＬ（ｎ）を第３スキャナ回路ＳＣＡＲが選択した時と、第４スキャナ回路ＳＣＢＲが選択した時とで、第２端部ｎ２に信号配線ＴＰＨとＴＰＬのどちらが接続されるかが、実施の形態１と逆になっている。
【０２４９】
すなわち、実施の形態１では第１駆動電極を第１スキャナ回路ＳＣＡＬと第４スキャナ回路ＳＣＢＲが同時に選択したが、実施の形態２では第１駆動電極を第１スキャナ回路ＳＣＡＬと第３スキャナ回路ＳＣＡＲが同時に選択するように制御する。
【０２５０】
＜磁界タッチ検出の全体動作＞
次に、実施の形態２に係わる表示装置１における磁界タッチ検出の全体動作を、波形図を用いて説明する。図２１および図２２は、磁界タッチ検出の動作を説明する波形図である。ここでも、図面が複雑になるのを避けるために、波形図は、図２１および図２２に分けてある。図２２を、図２１の下側に配置することによって、表示装置１の動作を示す波形図が完成する。図２１および図２２は、図１３および図１４に類似しているので、ここでは主に相違点を説明する。
【０２５１】
実施の形態１と同様に、この実施の形態２においても、制御装置３は、離間量レジスタＳ−ＲＥＧに格納された離間量および束レジスタＣ−ＲＥＧに格納された束ね数の情報に基づいて、スタート信号ＳＴ−ＡＲ、ＳＴ−ＢＲ、ＳＴ−ＡＬ、ＳＴ−ＢＬおよびシフトクロック信号ＣＫ−ＡＬ、ＣＫ−ＢＬ、ＣＫ−ＡＲ、ＣＫ−ＢＲを形成する。実施の形態１では、開始期間ＴＰ（ｓｓ）の前に、離間量および束ね量に基づいた回数、シフトクロック信号ＣＫ−ＡＬ、ＣＫ−ＢＲを変化させ、シフトクロック信号ＣＫ−ＡＬ、ＣＫ−ＢＲを最初に変化させるとき、駆動電極の選択を示すハイレベルのスタート信号ＳＴ−ＡＬ、ＳＴ−ＢＲを、第１スキャナ回路ＳＣＡＬおよび第４スキャナ回路ＳＣＢＲに供給していた。これに対して、実施の形態２において、制御装置３は、第１スキャナ回路ＳＣＡＬおよび第３スキャナ回路ＳＣＡＲに供給されるシフトクロック信号ＣＫ−ＡＬ、ＣＫ−ＡＲを、開始期間ＴＰ（ｓｓ）の前に、離間量および束ね数に基づいた回数、変化させ、シフトクロック信号ＣＫ−ＡＬ、ＣＫ−ＡＲを最初に変化させるとき、駆動電極の選択を示すハイレベルのスタート信号ＳＴ−ＡＬ、ＳＴ−ＡＲを、第１スキャナ回路ＳＣＡＬおよび第３スキャナ回路ＳＣＡＲに供給する。
【０２５２】
すなわち、制御装置３は、図２１および図２２において、開始期間ＴＰ（ｓｓ）が始まる時刻ｔ５よりも前の時刻ｔ１のときに、シフトクロック信号ＣＫ−ＡＬ、ＣＫ−ＡＲを変化させる。この実施の形態２においても、離間量および束ね量に基づいた回数は、実施の形態１と同様に２回であるため、時刻ｔ５よりも前の時刻ｔ１と時刻ｔ３において、制御装置３は、シフトクロック信号ＣＫ−ＡＬ、ＣＫ−ＡＲを変化させる。また、制御装置３は、時刻ｔ０から時刻ｔ２において、スタート信号ＳＴ−ＡＬ、ＳＴ−ＡＲを、駆動電極の選択を示すハイレベルにする。その後、時刻ｔ４において、制御装置３は、スタート信号ＳＴ−ＢＬ、ＳＴ−ＢＲを、駆動電極の選択を示すハイレベルにする。以降、制御装置３は、磁界タッチ検出期間（例えばＴＰ（ｎ）〜ＴＰ（ｎ＋５））ごとに、シフトクロック信号ＣＫ−ＡＬ、ＣＫ−ＢＬ、ＣＫ−ＡＲおよびＣＫ―ＢＲを変化させる。このとき、シフトクロック信号ＣＫ−ＡＬ、ＣＫ−ＢＬ、ＣＫ−ＡＲおよびＣＫ―ＢＲが、互いに同じ周期となるように、制御装置３は、これらのシフトクロック信号を変化させる。
【０２５３】
これにより、第１スキャナ回路ＳＣＡＬおよび第３スキャナ回路ＳＣＡＲは、第２スキャナ回路ＳＣＢＬおよび第４スキャナ回路ＳＣＢＲが出力する第２選択信号および第４選択信号によって指定される駆動電極よりも２個分、駆動電極ＴＬ（ｐ）側に近い駆動電極を指定する第１選択信号および第３選択信号を出力するようになる。
【０２５４】
シフトクロック信号ＣＫ−ＡＬ、ＣＫ−ＢＬ、ＣＫ−ＡＲ、ＣＫ−ＢＲが変化して、例えば、磁界タッチ検出期間ＴＰ（ｎ−１）に到達すると、第１スキャナ回路ＳＣＡＬおよび第３スキャナ回路ＳＣＡＲのそれぞれにおいて、シフト段ＦＡＬ（ｎ）、ＦＡＲ（ｎ）（図１０、図１１参照）が、前段のシフト段からハイレベルのスタート信号ＳＴ−ＡＬ、ＳＴ−ＡＲを取り込み、保持する。これにより、第１選択信号ＡＬ（ｎ）、および第３選択信号ＡＲ（ｎ）がハイレベルとなる。第１選択信号ＡＬ（ｎ）がハイレベルとなることにより、図１２（Ａ）に示した単位選択回路ＳＥＬ（ｎ）において、第１転送スイッチＴＰ１Ｌがオン状態となり、単位選択回路ＳＥＬ（ｎ）は、図２１に示すように、第１単位選択信号ＳＥＬＨ＿Ｌ（ｎ）、第２単位選択信号ＳＥＬＧ＿Ｌ（ｎ）を出力する。これに対して、第３選択信号ＡＲ（ｎ）がハイレベルとなることにより、図２０に示した単位選択回路ＳＥＲ（ｎ）において、第２転送スイッチＴＰ２Ｒがオン状態となる。その結果、図２２に示すように、単位選択回路ＳＥＲ（ｎ）は、第３単位選択信号ＳＥＬＨ＿Ｒ（ｎ）、第４単位選択信号ＳＥＬＧ＿Ｒ（ｎ）を出力することになる。
【０２５５】
これにより、駆動電極ＴＬ（ｎ）の第１端部ｎ１には、単位駆動回路ＵＳＬ内のＰトランジスタＰ５Ｌを介して、第２駆動電圧Ｖｓと第１駆動電圧Ｖｄとの間で周期的に変化する駆動信号ＴＰＨが供給され、駆動電極ＴＬ（ｎ）の第２端部ｎ２には、単位駆動回路ＵＳＲ内のＰトランジスタＰ６Ｒを介して、第２駆動電圧Ｖｓが供給されるようになる。その結果、駆動電極ＴＬ（ｎ）は、駆動状態になり、駆動信号ＴＰＨの変動に応じて磁界を発生する。
【０２５６】
次に、シフトクロック信号ＣＫ−ＡＬ、ＣＫ−ＢＬ、ＣＫ−ＡＲおよびＣＫ−ＢＲが変化して、例えば磁界タッチ検出期間ＴＰ（ｎ＋１）に到達すると、第１スキャナ回路ＳＣＡＬ、第２スキャナ回路ＳＣＢＬ、第３スキャナ回路ＳＣＡＲおよび第４スキャナ回路ＳＣＢＲのシフトレジスタにおいて、ハイレベルのスタート信号が移動して、シフト段ＦＡＬ（ｎ＋２）、ＦＡＲ（ｎ＋２）、ＦＢＬ（ｎ）およびＦＢＲ（ｎ）に到達する。これにより、第１スキャナ回路ＳＣＡＬおよび第３スキャナ回路ＳＣＡＲは、駆動電極ＴＬ（ｎ＋２）を選択するように、第１選択信号ＡＬ（ｎ＋２）および第３選択信号ＡＲ（ｎ＋２）をハイレベルにし、第２スキャナ回路ＳＣＢＬおよび第４スキャナ回路ＳＣＢＲは、駆動電極ＴＬ（ｎ）を選択するように、第２選択信号ＢＬ（ｎ）および第４選択信号ＢＲ（ｎ）をハイレベルにする。
【０２５７】
第１選択信号ＡＬ（ｎ＋２）および第３選択信号ＡＲ（ｎ＋２）がハイレベルとなることにより、図２１および図２２に示すように、第２単位選択信号ＳＥＬＧ＿Ｌ（ｎ＋２）、第４単位選択信号ＳＥＬＧ＿Ｒ（ｎ＋２）および第１単位選択信号ＳＥＬＨ＿Ｌ（ｎ＋２）、第３単位選択信号ＳＥＬＨ＿Ｒ（ｎ＋２）が変化する。その結果、駆動電極ＴＬ（ｎ＋２）の第１端部ｎ１に信号配線ＴＰＨから第１駆動電圧Ｖｄと第２駆動電圧Ｖｓの間で変化する駆動信号ＴＰＨが供給され、第２端部ｎ２に信号配線ＴＰＬから第２駆動電圧として電圧Ｖｓが供給される。
【０２５８】
また、第２選択信号ＢＬ（ｎ）、第４選択信号ＢＲ（ｎ）がハイレベルとなることにより、図１２（Ａ）に示した第２転送スイッチＴＰ２Ｌがオン状態となり、図２０に示した第１転送スイッチＴＰ１Ｒがオン状態となる。これにより、図２１および図２２に示すように、第２単位選択信号ＳＥＬＧ＿Ｌ（ｎ）、第４単位選択信号ＳＥＬＧ＿Ｒ（ｎ）および第１単位選択信号ＳＥＬＨ＿Ｌ（ｎ）、第３単位選択信号ＳＥＬＨ＿Ｒ（ｎ）が変化する。その結果、駆動電極ＴＬ（ｎ）の第１端部ｎ１に信号配線ＴＰＬから第２駆動電圧Ｖｓが供給され、第２端部ｎ２に信号配線ＴＰＨから第１駆動電圧Ｖｄと第２駆動電圧Ｖｓの間で変化する駆動信号ＴＰＨが供給される。
【０２５９】
駆動電極ＴＬ（ｎ）によって発生した磁界と、駆動電極ＴＬ（ｎ＋２）によって発生した磁界は、駆動電極ＴＬ（ｎ＋１）の領域において、重畳される。
【０２６０】
以降、磁界タッチ検出期間ＴＰ（ｎ＋２）〜ＴＰ（ｎ＋５）のそれぞれにおいて、同様に磁界が発生する。なお、図１９に示した接続状態は、図２１および図２２において、一点鎖線Ｆ１９で囲んだタイミングのときに相当する。
【０２６１】
また、磁界タッチ検出期間においては、実施の形態１と同様に、制御信号ＣＯＭＦＬがハイレベルとなるため、非選択の駆動電極はフローティング状態となる。これにより、実施の形態１と同様に、選択された駆動電極の電圧を変化させる際に、充放電する寄生容量を低減することが可能となっている。さらに、実施の形態１と同様に、磁界タッチ検出期間においては、走査線および信号線がフローティング状態となるように、制御装置３によって制御されている。これによっても、選択された駆動電極の電圧を変化させる際に、充放電する寄生容量を低減することが可能となっている。
【０２６２】
＜電界タッチ検出の動作＞
実施の形態１と同様に、実施の形態２においても、電界タッチ検出が可能である。図２３は、電界タッチ検出の構成を示すブロック図である。図２３は、図１９と同様に、第２選択駆動回路ＳＤＲを構成する単位選択回路ＳＥＲ（ｎ）〜ＳＥＲ（ｎ＋５）に供給される第３選択信号ＡＲ（ｎ）〜ＡＲ（ｎ＋５）と、第４選択信号ＢＲ（ｎ）〜ＢＲ（ｎ＋５）とが入れ替わっている。
【０２６３】
図２４および図２５は、電界タッチ検出の動作を説明する波形図である。波形図を用いて、電界タッチ検出のときの動作を説明する。図面が複雑になるのを避けるために、ここでも、波形図は、図２４および図２５に分けてある。図２５を、図２４の下側に配置することにより、波形図が完成する。図２４および図２５は、図１６および図１７に類似しているため、相違点を主に説明する。
【０２６４】
この実施の形態２においても、実施の形態１と同様に、制御装置３は、電界タッチ検出のとき、離間量および束ね数を用いずに、シフトクロック信号とスタート信号を生成する。しかしながら、実施の形態１と異なり、制御装置３は、図２４および図２５に示すように、時刻ｔ０において、スタート信号ＳＴ−ＡＲの代わりにスタート信号ＳＴ−ＢＲを、ロウレベルから選択を示すハイレベルへ変化させる。また、制御装置３は、開始期間ＴＣ（ｓｓ）および電界タッチ検出期間ごとに、シフトクロック信号ＣＫ−ＡＬおよびＣＫ−ＢＲを、ロウレベルからハイレベルに変化させる。すなわち、シフトクロック信号ＣＫ−ＡＬ、ＣＫ−ＢＲを周期的に変化させる。また、制御装置３は、図２４および図２５に示すように、スタート信号ＳＴ−ＢＬおよびＳＴ−ＡＲのそれぞれをロウレベルＬに維持し、シフトクロック信号ＣＫ−ＢＬおよびＣＫ−ＡＲをロウレベルＬに維持する。すなわち、電界タッチ検出のとき、シフトクロック信号ＣＫ−ＢＬ、ＣＫ−ＡＲは変化しない。
【０２６５】
シフトクロック信号ＣＫ−ＡＬ、ＣＫ−ＢＲが変化し、駆動電極の選択を示すハイレベルのスタート信号ＳＴ−ＡＬ、ＳＴ−ＢＲが、シフト段ＦＡＬ（ｎ）、ＦＢＲ（ｎ）（図１０、図１１参照）に保持されると、電界タッチ検出期間ＴＣ（ｎ）となる。シフト段ＦＡＬ（ｎ）、ＦＢＲ（ｎ）が、ハイレベルのスタート信号ＳＴ−ＡＬ、ＳＴ−ＢＬを格納することにより、第１選択信号ＡＬ（ｎ）および第４選択信号ＢＲ（ｎ）がハイレベルとなる。これにより、図１２（Ａ）に示した第１転送スイッチＴＰ１Ｌと、図２０に示した第１転送スイッチＴＰ１Ｒがオン状態となる。電界タッチ検出期間ＴＣ（ｎ）においては、図２４および図２５に示すように、第２単位選択信号ＳＥＬＧ＿Ｌ（ｎ）および第４単位選択信号ＳＥＬＧ＿Ｒ（ｎ）は、ハイレベルとなり、第１単位選択信号ＳＥＬＨ＿Ｌ（ｎ）および第３単位選択信号ＳＥＬＨ＿Ｒ（ｎ）は、ロウレベルとなる。
【０２６６】
その結果、駆動電極ＴＬ（ｎ）の第１端部ｎ１は、単位駆動回路ＵＳＬ内のＰトランジスタＰ５Ｌを介して、信号配線ＴＰＨに接続され、第２端部ｎ２は、単位駆動回路ＵＳＲ内のＰトランジスタＰ５Ｒを介して、信号配線ＴＰＨに接続されることになる。これにより、電界タッチ検出期間ＴＣ（ｎ）においては、信号配線ＴＰＨに供給されている周期的に変化する駆動信号ＴＰＨが、駆動電極ＴＬ（ｎ）の両端部から供給され、電界を発生することになる。
【０２６７】
電界タッチ検出期間ＴＣ（ｎ）を例にして説明したが、他の電界タッチ検出期間においても同様である。なお、図２３に示した接続状態は、図２４および図２５において、一点鎖線Ｆ２３で囲んだタイミングのときに相当する。
【０２６８】
また、この実施の形態２においても、電界タッチ検出期間においては、制御信号ＣＯＭＦＬがロウレベルにされているため、非選択の駆動電極には、信号配線ＴＰＬから表示駆動電圧ＶＣＯＭＤＣが供給されるため、ノイズの低減を図ることができる。
【０２６９】
また、表示期間においては、全ての駆動電極が非選択となり信号配線ＴＰＬから表示駆動電圧ＶＣＯＭＤＣが供給される。
【０２７０】
磁界タッチ検出期間において、ペンＰｅｎからの磁界は、図２で説明したように、第２基板に形成された検出電極ＲＬ（０）〜ＲＬ（ｐ）によって検出され、電界タッチ検出期間において、電界の変化も、図３で説明したように、検出電極ＲＬ（０）〜ＲＬ（ｐ）によって検出される。
【０２７１】
この実施の形態では、単位選択回路ＳＥＲ（ｎ）の構成だけを変化させたが、単位選択回路ＳＥＲ（ｎ）の構成を変化させずに単位選択回路ＳＥＬ（ｎ）の構成だけを変化させるようにしてもよい。すなわち、例えば、第１駆動電極の第１端部ｎ１を第１スキャナ回路ＳＣＡＬが選択しても、第２スキャナ回路ＳＣＢＬが選択してもよく、第１駆動電極の第２端部ｎ２も第３スキャナ回路ＳＣＡＲが選択しても第４スキャナ回路ＳＣＢＲが選択してもよいが、４つのスキャナ回路は第１駆動電極と第２駆動電極を両端から同時に選択するように、磁界タッチ検出期間においては、制御される。この実施の形態においても、制御装置３は第１駆動電極の第１端部ｎ１と第２駆動電極の第２端部ｎ２に第１駆動電圧を供給し、第１駆動電極の第２端部ｎ２と第２駆動電極の第１端部ｎ１に第２駆動電圧を供給する。
【０２７２】
＜電子装置＞
図２６は、実施の形態１および２において説明した表示装置１を備えた電子装置１００の構成を示す斜視図である。電子装置１００は、表示装置１を備えたタブレット型のコンピュータ１０１とペンＰｅｎとを備えている。ペンＰｅｎは、図２に示したように、コイルおよび容量素子を含む指示器である。図２６において、２は、上記した表示領域を示し、１０２は、表示領域２を囲むように配置された額縁領域を示している。また、１０３は、コンピュータ１０１のボタンを示している。
【０２７３】
上記した表示期間ＤＰにおいて、表示領域２に画像の表示が行われ、また、磁界タッチ検出期間ＴＰ（ｎ）〜ＴＰ（ｎ＋５）等において、ペンＰｅｎが、表示領域２に近接しているか否か、および座標の検出が行われ、この検出の結果に応じて、コンピュータ１０１が処理を行う。
【０２７４】
ペンＰｅｎとタブレット型のコンピュータ１０１が電気的に直接接続されている必要はない。電子装置１００がペンＰｅｎを含まなくてもよく、その場合はタブレット型コンピュータ１０１そのものが電子装置１００に相当する。電子装置１００に含まれる表示装置として、タブレット型のコンピュータの代わりにノート型もしくはデスクトップ型のパーソナルコンピュータを用いることができる。
【０２７５】
本発明の思想の範疇において、当業者であれば、各種の変形例及び修正例に想到し得るものであり、それら変形例及び修正例についても本発明の範囲に属するものと了解される。
【０２７６】
例えば、前述の各実施の形態に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
【０２７７】
例えば、前述の実施の形態においては、駆動電極ＴＬ（０）〜ＴＬ（ｐ）は、行方向に延在し、列方向に平行に配置されている場合を説明したが、行方向および列方向は、見る視点により変化する。見る視点を変えて、駆動電極ＴＬ（０）〜ＴＬ（ｐ）が、列方向に延在し、行方向に平行に配置されている場合も本発明の範囲に含まれるものである。また、本明細書で用いている「平行」とは、互いに一端から他端に亘るまで交わることなく延在することを意味する。そのため、一方の線（あるいは電極）の一部又は全部が他方の線（あるいは電極）に対して傾いた状態で設けられていたとしても、これらの線が一端から他端まで交わるものでなければ、本明細書においては、この状態も「平行」であるとする。
【符号の説明】
【０２７８】
１  表示装置
３  制御装置
５  タッチ制御装置
１００  電子装置
ＴＬ（０）〜ＴＬ（ｐ）  駆動電極
ＳＣＡＬ  第１スキャナ回路
ＳＣＢＬ  第２スキャナ回路
ＳＣＡＲ  第３スキャナ回路
ＳＣＢＲ  第４スキャナ回路
ＳＣＬ  第１スキャナ回路対
ＳＣＲ  第２スキャナ回路対
ＳＤＬ  第１選択駆動回路
ＳＤＲ  第２選択駆動回路
ＳＥＬ（ｎ）〜ＳＥＬ（ｎ＋５）、ＳＥＲ（ｎ）〜ＳＥＲ（ｎ＋５）  単位選択回路
ＳＥＬＬ、ＳＥＬＲ  選択回路
ＤＲＶＬ、ＤＲＶＲ  駆動回路
ＵＳＬ、ＵＳＲ  単位駆動回路
ＵＧＤ  単位ゲートドライバ
ＵＳＣＡ、ＵＳＣＢ  単位スキャナ回路
【図１】
0006704802.tif 000002
【図２】
0006704802.tif 000003
【図３】
0006704802.tif 000004
【図４】
0006704802.tif 000005
【図５】
0006704802.tif 000006
【図６】
0006704802.tif 000007
【図７】
0006704802.tif 000008
【図８】
0006704802.tif 000009
【図９】
0006704802.tif 000010
【図１０】
0006704802.tif 000011
【図１１】
0006704802.tif 000012
【図１２】
0006704802.tif 000013
【図１３】
0006704802.tif 000014
【図１４】
0006704802.tif 000015
【図１５】
0006704802.tif 000016
【図１６】
0006704802.tif 000017
【図１７】
0006704802.tif 000018
【図１８】
0006704802.tif 000019
【図１９】
0006704802.tif 000020
【図２０】
0006704802.tif 000021
【図２１】
0006704802.tif 000022
【図２２】
0006704802.tif 000023
【図２３】
0006704802.tif 000024
【図２４】
0006704802.tif 000025
【図２５】
0006704802.tif 000026
【図２６】
0006704802.tif 000027